(57)【要約】  本発明は、植物の質を改善するための方法に関し、ここで、該方法は、作物植物及び／又は作物植物がそこで成育しているか若しくは作物植物をそこで栽培することが意図されている場所及び／又は植物栄養繁殖体を植物の質を改善する量の微量栄養素含有活性成分で処理することを含む。【選択図】なし【特許請求の範囲】
【請求項１】
植物の質を改善する方法であって、作物植物及び／又は前記作物植物がそこで成育している場所若しくは前記作物植物をそこで栽培することが意図されている場所及び／又は植物栄養繁殖体を植物の質を改善する量の微量栄養素含有活性成分で処理することを特徴とする、該方法。
【請求項２】
前記微量栄養素含有活性成分が殺菌活性を有することを特徴とする、請求項１に記載の方法。
【請求項３】
前記微量栄養素含有活性成分が亜鉛、マンガン、モリブデン、鉄及び銅からなる群から選択される少なくとも１種類の金属イオン又は微量栄養素ホウ素を含んでいる活性成分からなる群から選択されることを特徴とする、請求項１又は２に記載の方法。
【請求項４】
前記微量栄養素含有活性成分がプロピネブ、ポリオキシンＺ（亜鉛塩）、ジネブ、ジラム、亜鉛チオダゾール、ナフテン酸亜鉛及びマンゼブ（マンガンも含んでいる）、マンネブ、メチラム及びマンカッパー（銅も含んでいる）、ファーバム、ボルドー液、塩基性塩化銅、三塩基性硫酸銅、酸化銅、オクタン酸銅、水酸化銅、オキシン銅及びナフテン酸銅からなる群から選択されることを特徴とする、請求項３に記載の方法。
【請求項５】
前記微量栄養素含有活性成分がプロピネブ及びマンゼブからなる群から選択されることを特徴とする、請求項４に記載の方法。
【請求項６】
前記微量栄養素含有活性成分がプロピネブであることを特徴とする、請求項５に記載の方法。
【請求項７】
前記植物の質が、収量（例えば、増大されたバイオマス、有益な成分の増大された含有量、及び／又は、特定の成分の改善された含有量若しくは組成）及び植物の活力（例えば、植物の改善された成長、及び／又は、より緑色の濃い葉）などの幾つかの面の単独又は互いに組み合わされたものによって決定される作物植物及び／又はその生産物の状態として定義される、請求項１〜６のいずれかに記載の方法。
【請求項８】
作物植物の下記特性：
＊  植物の増大された重さ；
＊  植物の増大された高さ；
＊  増大された亜鉛含有量；
＊  増大された鉄含有量；
＊  増大されたカルシウム含有量；
＊  増大されたバイオマス、例えば、より重い生体重量（ＦＷ）及び／又は乾燥重量（ＤＷ）；
＊  より高い穀粒収量；
＊  より高い酸性度；
＊  より高いアントシアニン含有量；
＊  より多い分げつ；
＊  より大きい葉；
＊  苗条の増大された成長；
＊  増大されたタンパク質含有量（例えば、可溶性タンパク質の含有量）；
＊  増大された油含有量；
＊  増大された澱粉含有量；
＊  増大された色素含有量；
＊  増大された栄養素含有量；
＊  増大されたタンパク質含有量；
＊  増大されたビタミン含有量（例えば、ビタミンＢ１、Ｂ２、Ｃ及びＥの含有量）；
＊  増大された脂肪酸含有量；
＊  増大された代謝産物含有量；
＊  増大されたカロテノイド含有量（例えば、ビタミンＡの含有量）；
＊  必須アミノ酸の増大された量；
＊  改善された栄養素組成；
＊  改善されたタンパク質組成；
＊  改善された脂肪酸組成；
＊  改善された代謝産物組成；
＊  改善されたカロテノイド組成；
＊  改善された糖組成；
＊  改善されたアミノ酸組成；
＊  果実の改善された又は最適な色；
＊  葉の改善された色；
＊  より高い貯蔵性能；
＊  収穫された生産物のより高い加工性；
＊  植物の改善された成長力；
＊  植物の改善された成長；
＊  植物の改善された発達；
＊  改善された外観；
＊  植物の改善された株立ち本数（植物のより少ないバース／倒伏）；
＊  改善された出芽；
＊  根の増強された成長、及び／又は、より発達した根系；
＊  増強された根粒形成、特に、根粒菌による根粒形成；
＊  より大きな葉身；
＊  より大きな寸法；
＊  植物の増大された重さ；
＊  増大された生体重量（ＦＷ）；
＊  増大された乾燥重量（ＤＷ）；
＊  植物の増大された高さ；
＊  増大された分げつ数；
＊  苗条の増大された成長；
＊  根の増大された成長（広範囲にわたる根系）、痩せた土壌又は好ましくない気候で栽培された場合の増大された収量；
＊  増強された光合成活性；
＊  増強された色素含有量（例えば、葉緑素含有量）；
＊  より早い開花；
＊  より早い結果；
＊  より早く、改善された発芽；
＊  より早い穀粒成熟；
＊  より良好な粒度分布；
＊  より高い穀粒硬さ；
＊  改善された自己防衛機構；
＊  改善されたストレス耐性、並びに、生物的ストレス因子及び非生物的ストレス因子（例えば、真菌類、細菌類、ウイルス類、昆虫類、熱ストレス、低温ストレス、渇水ストレス、紫外線ストレス、及び／又は、塩ストレス）に対する植物の改善された抵抗性；
＊  より少ない非生産的な分げつ；
＊  より少ない枯れた根出葉；
＊  より少ない必要とされる供給量（例えば、肥料又は水）；
＊  より緑色の濃い葉；
＊  短い成育期間における完全な成熟；
＊  より少ない必要とされる肥料；
＊  より少ない必要とされる種子；
＊  より容易な収穫；
＊  より速く且つより均一な稔実；
＊  より長い貯蔵寿命；
＊  より長い穂；
＊  老化の遅延，
＊  より強い及び／又はより生産的な分げつ；
＊  成分のより良好な抽出性；
＊  種子の改善された質（種子生産用に翌シーズンに播種するための質）；
＊  低減されたエチレン産生、及び／又は、植物によるエチレン受け取りの阻害；
のうちの少なくとも１が改善されることを特徴とする、請求項７に記載の方法。
【請求項９】
改善された特性のタイプに応じて、植物の当該質が、それぞれの処理されていない対照植物と比較して、少なくとも５％、１０％、２５％、５０％又はそれ以上増大されていることを特徴とする、請求項８に記載の方法。
【発明の詳細な説明】
【技術分野】
【０００１】
本発明は、植物の質を改善するための新規方法に関し、ここで、該方法は、作物植物及び／又は作物植物がそこで成育している場所若しくは作物植物をそこで栽培することが意図されている場所及び／又は植物栄養繁殖体を植物の質を改善する量の微量栄養素含有活性成分で処理することを含む。
【背景技術】
【０００２】
亜鉛は、植物及びヒトの正常な成長、発達及び健康に関する必須微量栄養素である。現在、農地の広い面積が亜鉛欠乏であることが知られており、この亜鉛欠乏は、作物の生産性及び食用作物の栄養価を著しく低減させる。今でも、多くの国においては、亜鉛欠乏症は、認識されていないか又は過小評価されており、そして、治療されていない。従って、これらの国々においては、作物生産とヒトの健康の両方に貢献するために、亜鉛欠乏症を理解し、そして、亜鉛欠乏症に取り組むことが、至急求められている。亜鉛は、さらにまた、渇水、熱さ及び塩分などのさまざまなストレス因子の下における作物植物のより良好な耐性にとっても、特に重要である。
【０００３】
亜鉛肥料を土壌及び／又は植物の葉に施用することは、作物植物における亜鉛欠乏症の問題に対する、並びに、食物の亜鉛濃度を上昇させることに対する、簡単で且つ極めて有効な解決法を提供する。この戦略は、食物生産の不必要な損失を大いに予防し、そして、公衆衛生を改善するのを助ける。例えば、米粒及び麦粒の亜鉛含有量を上昇させると、毎年、インドの４８，０００人の子供の命が救われ得る。
【０００４】
世界中の数百万人のヒトにとって、毎日の余分な数ミリグラムの亜鉛が、疾病又は死と健康で生産的な生活の間の差を生じ得る。作物が充分な亜鉛を供給することを確実なものとすることで、本発明者らは、有意な健康、社会的及び経済的な利益を提供することによって、この世界的な問題に取り組むのを援助することができる（「Ｉｎｔｅｒｎａｔｉｏｎａｌ  Ｚｉｎｃ  Ａｓｓｏｃｉａｔｉｏｎ  ＩＦＡ」によって刊行された「Ｚｉｎｃ  Ｆｅｒｔｉｌｉｚｅｒ  Ｂｒｏｃｈｕｒｅ  ２００９」；「Ｃｏｍｐａｒａｔｉｖｅ  Ｑｕａｎｔｉｆｉｃａｔｉｏｎ／Ｇｌｏｂａｌ  ａｎｄ  Ｒｅｇｉｏｎａｌ  Ｂｕｒｄｅｎ  ｏｆ  Ｄｉｓｅａｓｅｓ  Ａｔｔｒｉｂｕｔａｂｌｅ  ｔｏ  Ｓｅｌｅｃｔｅｄ  Ｍａｊｏｒ  Ｒｉｓｋ  Ｆａｃｔｏｒｓ  ｏｆ  Ｈｅａｌｔｈ  Ｒｉｓｋｓ，  Ｅｚｚａｔｉ，  Ｌｏｐｅｚ，  Ｒｏｄｇｅｒｓ，  Ｍｕｒｒａｙ  （ｅｄｓ．），  Ｃｈａｐｔｅｒ  ５  −  Ｚｉｎｃ  Ｄｅｆｉｃｉｅｎｃｙ，  ＷＨＯ，  ２００４）。
【０００５】
亜鉛は、植物、動物及びヒトの正常で健康的な成長及び生殖にとって不可欠である。植物が利用することが可能な亜鉛の供給が不充分である場合、収穫量及び作物生産物の質が損なわれる。植物においては、亜鉛は、多くの重要な生化学的経路における広範な種々の酵素及びタンパク質の構造成分又は調節補因子として重要な役割を果たしている。植物への亜鉛の供給が不充分である場合、亜鉛の生理学機能が正しく作用することができず、それによって、植物の成長は悪影響を受ける。これは、植物体内で、ストレスの明らかな徴候を引き起こし得る。その徴候は種によってさまざまであり、そして、それは、以下のようなものを包含するであろう：萎縮（低減された草高）、葉脈間クロロシス（葉脈間の葉の黄化）、白化葉の褐色化、小さくて異常な形状の葉、並びに／又は、葉の萎縮及びロゼット化（ｒｏｓｅｔｔｉｎｇ）（ここでは、葉は、短縮された茎に渦形を形成する）。明白な目に見える徴候を伴わない、所謂、隠れた欠乏（ｈｉｄｄｅｎ  ｄｅｆｉｃｉｅｎｃｉｅｓ）は、植物収量の２０％損失をもたらすであろう。隠れた欠乏を引き起こす亜鉛欠乏土壌は、農業従事者の重大な金銭上の損失の原因となり得る。かくして、土壌の試験又は作物植物の分析によって亜鉛欠乏土壌をできる限り早く確認することが必要である。ひとたび確認されたら、亜鉛欠乏土壌を容易に亜鉛肥料で処理して、作物への亜鉛の充分な供給を提供することが可能であり、ここで、硫酸亜鉛が群を抜いて最も広く使用使用される肥料である（Ｚｉｎｃ  ｉｎ  Ｓｏｉｌｓ  ａｎｄ  Ｃｒｏｐ  Ｎｕｔｒｉｔｉｏｎ  ｂｙ  Ｂ．Ｊ．  Ａｌｌｏｗａｙ，  ２ｎｄ  Ｅｄ．  Ｂｒｕｓｓｅｌｓ，  Ｐａｒｉｓ，  ２００８を参照）。
【０００６】
さらに、硫酸亜鉛又はジネブ殺菌剤で処理されたブドウの木が処理されていないブドウの木と比較して有意に増大した収量と成長を示したということも知られている（ＩＳＨＳ  Ａｃｔａ  Ｈｏｒｔｉｃｕｌｔｕｒａｅ  １９８７，  １９９，  １５７−１６１を参照）。オオムギでは、亜鉛欠乏症の予防が収量応答を引き起こさないことが示されている（ＥＰＰＯ  Ｂｕｌｌ．  １９８１，  １１，  ２７７−２８５を参照）。銅、マンガン及び亜鉛のような微量栄養素をそのような微量栄養素を含んでいる殺菌剤を介して植物に施用し得るということも知られている。しかしながら、当該微量栄養素の取込がより効率的であるか又はあまり効率的でないかは、錯体（残りの分子を有する金属形態）のタイプに左右される。かくして、ジラムの特定の製剤中の亜鉛はジネブ由来の亜鉛と比較して容易には吸収されないということということが分かった（Ｕｎｉｖｅｒｓｉｔｙ  ｏｆ  Ｆｌｏｒｉｄａ，  ＩＦＡＳ  Ｅｘｔｅｎｓｉｏｎ，  ＨＳ１１５９，  ２００９を参照）。
【０００７】
さらに、殺有害生物剤と組合せて酸化亜鉛を植物（より特定的には、ジャガイモ）に送達するための組成物も知られている（ＷＯ  ９５／２０８７４を参照）。
【先行技術文献】
【特許文献】
【０００８】
【特許文献１】国際特許出願公開第９５／２０８７４号
【非特許文献】
【０００９】
【非特許文献１】Ｚｉｎｃ  Ｆｅｒｔｉｌｉｚｅｒ  Ｂｒｏｃｈｕｒｅ  ２００９
【非特許文献２】Ｃｏｍｐａｒａｔｉｖｅ  Ｑｕａｎｔｉｆｉｃａｔｉｏｎ／Ｇｌｏｂａｌ  ａｎｄ  Ｒｅｇｉｏｎａｌ  Ｂｕｒｄｅｎ  ｏｆ  Ｄｉｓｅａｓｅｓ  Ａｔｔｒｉｂｕｔａｂｌｅ  ｔｏ  Ｓｅｌｅｃｔｅｄ  Ｍａｊｏｒ  Ｒｉｓｋ  Ｆａｃｔｏｒｓ  ｏｆ  Ｈｅａｌｔｈ  Ｒｉｓｋｓ，  Ｅｚｚａｔｉ，  Ｌｏｐｅｚ，  Ｒｏｄｇｅｒｓ，  Ｍｕｒｒａｙ  （ｅｄｓ．），  Ｃｈａｐｔｅｒ  ５  −  Ｚｉｎｃ  Ｄｅｆｉｃｉｅｎｃｙ，  ＷＨＯ，  ２００４
【非特許文献３】Ｚｉｎｃ  ｉｎ  Ｓｏｉｌｓ  ａｎｄ  Ｃｒｏｐ  Ｎｕｔｒｉｔｉｏｎ  ｂｙ  Ｂ．Ｊ．  Ａｌｌｏｗａｙ，  ２ｎｄ  Ｅｄ．  Ｂｒｕｓｓｅｌｓ，  Ｐａｒｉｓ，  ２００８
【非特許文献４】ＩＳＨＳ  Ａｃｔａ  Ｈｏｒｔｉｃｕｌｔｕｒａｅ  １９８７，  １９９，  １５７−１６１
【非特許文献５】ＥＰＰＯ  Ｂｕｌｌ．  １９８１，  １１，  ２７７−２８５
【非特許文献６】Ｕｎｉｖｅｒｓｉｔｙ  ｏｆ  Ｆｌｏｒｉｄａ，  ＩＦＡＳ  Ｅｘｔｅｎｓｉｏｎ，  ＨＳ１１５９，  ２００９
【発明の概要】
【００１０】
本出願によって、植物の質を改善する方法が提供され、ここで、該方法は、作物植物及び／又は作物植物がそこで成育している場所若しくは作物植物をそこで栽培することが意図されている場所及び／又は植物栄養繁殖体を植物の質を改善する量の微量栄養素含有活性成分で処理することを特徴とし、その際、該活性成分は、好ましくは、殺菌剤としても活性を示す。
【発明を実施するための形態】
【００１１】
該微量栄養素含有活性成分は、好ましくは、亜鉛、マンガン、モリブデン、鉄及び銅からなる群から選択される少なくとも１種類の金属イオン又は微量栄養素ホウ素を含んでいる活性成分からなる群から選択される。
【００１２】
さらに好ましくは、これらの活性成分は、プロピネブ、ポリオキシンＺ（亜鉛塩）、ジネブ、ジラム、亜鉛チオダゾール（Ｚｉｎｃ  ｔｈｉｏｄａｚｏｌｅ）、ナフテン酸亜鉛及びマンゼブ（マンガンも含んでいる）のような亜鉛含有化合物からなる群から選択されるか、又は、マンネブ、メチラム及びマンカッパー（銅も含んでいる）のようなマンガン含有化合物から選択されるか、又は、ファーバムのような鉄含有化合物から選択されるか、又は、ボルドー液、塩基性塩化銅、三塩基性硫酸銅、酸化銅、オクタン酸銅、水酸化銅、オキシン銅及びナフテン酸銅のような銅含有化合物から選択される。
【００１３】
さらに好ましくは、該活性成分は、プロピネブ及びマンゼブからなる群から選択される。
【００１４】
さらに好ましくは、該活性成分は、プロピネブである。
【００１５】
上記で挙げられている微量栄養素含有活性成分は全て、殺菌特性を有することが知られており、そして、さまざまな植物病害を防除するために使用することができる（Ｔｈｅ  Ｐｅｓｔｉｃｉｄｅ  Ｍａｎｕａｌ，  １５ｔｈ  Ｅｄｉｔｉｏｎ  ２００９を参照）。
【００１６】
用語「植物の質（ｐｌａｎｔ  ｑｕａｌｉｔｙ）」（ｑｕａｌｉｔｙ  ｏｆ  ａ  ｐｌａｎｔ）は、収量（例えば、増大されたバイオマス、有益な成分の増大された含有量、及び／又は、特定の成分の改善された含有量若しくは組成）及び植物の活力（例えば、植物の改善された成長、及び／又は、より緑色の濃い葉）などの幾つかの面の単独又は互いに組み合わされたものによって決定される作物植物及び／又はその生産物の状態として定義される。
【００１７】
植物の質に関する１つの指標、特に、植物の状態に関する１つの指標は、その収量である。「収量」は、植物によって生産され、経済的な価値を有する植物の任意の部分又は生成物〔例えば、穀粒、葉、根、適切な意味における果実、野菜、堅果、種子、樹木（例えば、森林地の場合）、又は、さらに、花（例えば、園芸及び観賞植物の場合）〕として理解されるべきである。植物生産物は、加えて、収穫後、さらに利用され得るか及び／又は加工され得る。
【００１８】
本発明によれば、作物植物の「増大された収量」は、それぞれの作物植物の生産物の収量が、微量栄養素含有活性成分が施用されていないことを除いて同じ条件下で生産された植物の同じ生産物の収量と比較して、測定可能な量だけ増大されていることを意味する。増大された収量は、とりわけ、作物植物の改善された下記特性によって、特徴付けられ得る：
＊  植物の増大された重さ；
＊  植物の増大された高さ；
＊  増大された亜鉛含有量；
＊  増大された鉄含有量；
＊  増大されたカルシウム含有量；
＊  増大されたバイオマス、例えば、より重い生体重量（ＦＷ）及び／又は乾燥重量（ＤＷ）；
＊  より高い穀粒収量；
＊  より高い酸性度；
＊  より高いアントシアニン含有量；
＊  より多い分げつ；
＊  より大きい葉；
＊  苗条の増大された成長；
＊  増大された（例えば、可溶性タンパク質の）；
＊  増大された油含有量；
＊  増大された澱粉含有量；
＊  増大された色素含有量；
＊  増大された栄養素含有量；
＊  増大されたタンパク質含有量；
＊  増大されたビタミン含有量（例えば、ビタミンＢ１、Ｂ２、Ｃ及びＥの含有量）；
＊  増大された脂肪酸含有量；
＊  増大された代謝産物含有量；
＊  増大されたカロテノイド含有量（例えば、ビタミンＡの含有量）；
＊  必須アミノ酸の増大された量；
＊  改善された栄養素組成；
＊  改善されたタンパク質組成；
＊  改善された脂肪酸組成；
＊  改善された代謝産物組成；
＊  改善されたカロテノイド組成；
＊  改善された糖組成；
＊  改善されたアミノ酸組成；
＊  果実の改善された又は最適な色；
＊  葉の改善された色；
＊  より高い貯蔵性能；
＊  収穫された生産物のより高い加工性。
【００１９】
本発明の一実施形態によれば、改善された特性のタイプに応じて、当該収量は、それぞれの処理されていない対照植物と比較して、少なくとも５％、１０％、２５％、５０％又はそれ以上増大されている。
【００２０】
植物の質に関する別の指標、特に、作物植物の状態に関する別の指標は、「植物の活力（ｐｌａｎｔ  ｖｉｇｏｒ）」である。植物の活力は、一般的な外観及び成長などの幾つかの面において明らかになる。植物の改善された活力は、植物の改善された下記特性によって、特徴付けられ得る：
＊  植物の改善された成長力（ｖｉｔａｌｉｔｙ）；
＊  植物の改善された成長；
＊  植物の改善された発達；
＊  改善された外観；
＊  植物の改善された株立ち本数（植物のより少ないバース（ｖｅｒｓｅ）／倒伏）；
＊  改善された出芽；
＊  根の増強された成長、及び／又は、より発達した根系；
＊  増強された根粒形成、特に、根粒菌による根粒形成；
＊  より大きな葉身；
＊  より大きな寸法；
＊  植物の増大された重さ；
＊  増大された生体重量（ＦＷ）；
＊  増大された乾燥重量（ＤＷ）；
＊  植物の増大された高さ；
＊  増大された分げつ数；
＊  苗条の増大された成長；
＊  根の増大された成長（広範囲にわたる根系）、痩せた土壌又は好ましくない気候で栽培された場合の増大された収量；
＊  増強された光合成活性；
＊  増強された色素含有量（例えば、葉緑素含有量）；
＊  より早い開花；
＊  より早い結果；
＊  より早く、改善された発芽；
＊  より早い穀粒成熟；
＊  より良好な粒度分布；
＊  より高い穀粒硬さ；
＊  改善された自己防衛機構；
＊  改善されたストレス耐性、並びに、生物的ストレス因子及び非生物的ストレス因子（例えば、真菌類、細菌類、ウイルス類、昆虫類、熱ストレス、低温ストレス、渇水ストレス、紫外線ストレス、及び／又は、塩ストレス）に対する植物の改善された抵抗性；
＊  より少ない非生産的な分げつ；
＊  より少ない枯れた根出葉；
＊  より少ない必要とされる供給量（例えば、肥料又は水）；
＊  より緑色の濃い葉；
＊  短い成育期間における完全な成熟；
＊  より少ない必要とされる肥料；
＊  より少ない必要とされる種子；
＊  より容易な収穫；
＊  より速く且つより均一な稔実；
＊  より長い貯蔵寿命；
＊  より長い穂；
＊  老化の遅延；
＊  より強い及び／又はより生産的な分げつ；
＊  成分のより良好な抽出性；
＊  種子の改善された質（種子生産用に翌シーズンに播種するための質）；
＊  低減されたエチレン産生、及び／又は、植物によるエチレン受け取りの阻害。
【００２１】
本発明の一実施形態によれば、改善された特性のタイプに応じて、植物の当該活力は、それぞれの処理されていない対照植物と比較して、少なくとも５％、１０％、２５％、５０％又はそれ以上増大されている。
【００２２】
処理された植物に応じて、異なる質のパラメーターが、より好ましくは、他の質のパラメーターよりも増大されている。以下においては、処理された作物植物に応じて、幾つかの質のパラメーターが挙げられている。
【００２３】
本発明の一実施形態によれば、ジャガイモに関する好ましい質のパラメーターは、以下のとおりである：
＊  増大されたタンパク質含有量（例えば、可溶性タンパク質の含有量）；
＊  増大された澱粉含有量；
＊  増大されたバイオマス、例えば、より重い生体重量（ＦＷ）及び／又は乾燥重量（ＤＷ）；
＊  増大された亜鉛含有量；
＊  より良好な粒度分布。
【００２４】
本発明の一実施形態によれば、イネに関する好ましい質のパラメーターは、以下のとおりである：
＊  増大されたカロテノイド含有量（例えば、ビタミンＡの含有量）；
＊  増大された亜鉛含有量；
＊  増大された鉄含有量；
＊  増大されたタンパク質含有量（例えば、可溶性タンパク質の含有量）。
【００２５】
本発明の一実施形態によれば、トウモロコシに関する好ましい質のパラメーターは、以下のとおりである：
＊  増大されたカロテノイド含有量（例えば、ビタミンＡの含有量）；
＊  増大された亜鉛含有量；
＊  増大された鉄含有量；
＊  増大されたタンパク質含有量（例えば、可溶性タンパク質の含有量）；
＊  増大された油含有量；
＊  増大された澱粉含有量。
【００２６】
本発明の一実施形態によれば、リンゴに関する好ましい質のパラメーターは、以下のとおりである：
＊  増大されたカルシウム含有量，
＊  より高い酸性度。
【００２７】
本発明の一実施形態によれば、柑橘類植物に関する好ましい質のパラメーターは、以下のとおりである：
＊  増大されたビタミンＣ含有量。
【００２８】
本発明の一実施形態によれば、トマト及びキュウリに関する好ましい質のパラメーターは、以下のとおりである：
＊  増大されたカルシウム含有量。
【００２９】
本発明の一実施形態によれば、ブドウ／ブドウの木に関する好ましい質のパラメーターは、以下のとおりである：
＊  より高いアントシアニン含有量；
＊  より高い酸性度。
【００３０】
本発明に従って使用することが可能な微量栄養素含有活性成分は、そのままで使用することが可能であるか、又は、慣習的な製剤（例えば、溶液剤、エマルション剤、懸濁液剤、粉末剤、ペースト剤など）の形態で使用することができる。次いで、施用は、慣習的な方法で実施する。かくして、例えば、微量栄養素含有活性成分（これは、適切な場合には、別の農薬活性化合物及び慣習的な添加剤と混合されている）を含んでいる調製物で種子を粉衣することができる。施用のさらなるタイプは、 comprises mixing 本発明に従って使用することが可能な物質の単独又は製剤された形態にあるものを別の農薬活性化合物及び慣習的な製剤助剤と混合させること、並びに、それらの調製物から顆粒剤又はベイト剤などの固形植物処理剤を調製することを含んでいる。
【００３１】
本発明に従って使用することが可能な微量栄養素含有活性成分を使用する場合、その施用量は、施用のタイプに応じて、特定の範囲内で変えることができる。種子の処理においては、微量栄養素含有活性成分の施用量は、一般に、種子１ｋｇ当たり１０〜１００００ｍｇであり、好ましくは、種子１ｋｇ当たり１０〜３００ｍｇである。固形製剤で使用する場合、微量栄養素含有活性成分の施用量は、一般に、製剤１ｋｇ当たり２０〜８００ｍｇであり、好ましくは、製剤１ｋｇ当たり３０〜７００ｍｇである。
【００３２】
本発明に従って使用される微量栄養素含有活性成分は、一般に、上記で記載した少なくとも１種類の微量栄養素含有活性成分を含んでいる組成物の形態で施用する。好ましくは、該殺菌剤組成物は、農業上許容される添加剤、溶媒、担体、界面活性剤又は増量剤を含んでいる。
【００３３】
本発明によれば、担体は、特に植物又は植物の部分又は種子への施用に関して、適用性を良好にするために、当該活性化合物と混合させるか又は合する天然又は合成の有機物質又は無機物質を意味するものと理解される。このような担体（ここで、該担体は、固体又は液体であり得る）は、一般に、不活性であり、そして、農業において使用するのに適しているべきである。
【００３４】
適切な固体又は液体の担体は、以下のものである：例えば、アンモニウム塩、並びに、粉砕された天然鉱物、例えば、カオリン、クレー、タルク、チョーク、石英、アタパルジャイト、モンモリロナイト又はケイ藻土、並びに、粉砕された合成鉱物、例えば、微粉砕シリカ、アルミナ及び天然又は合成のシリケート、樹脂、蝋、固形肥料、水、アルコール、特に、ブタノール、有機溶媒、鉱油及び植物油、並びに、それらの誘導体。そのような担体の混合物も使用し得る。粒剤に適している固体担体は、以下のものである：例えば、粉砕して分別した天然鉱物、例えば、方解石、大理石、軽石、海泡石、苦灰岩、並びに、さらに、無機及び有機の粗挽き粉からなる合成顆粒、並びに、さらに、おがくず、ココナッツ殻、トウモロコシ穂軸及びタバコの葉柄などの有機材料からなる顆粒。
【００３５】
適切な液化ガス状の増量剤又は担体は、周囲温度及び大気圧下では気体である液体、例えば、エーロゾル噴射剤、例えば、ブタン、プロパン、窒素及びＣＯ２などである。
【００３６】
上記製剤において、粘着性付与剤、例えば、カルボキシメチルセルロース、並びに、粉末及び顆粒及びラテックスの形態にある天然ポリマー及び合成ポリマー、例えば、アラビアゴム、ポリビニルアルコール、ポリ酢酸ビニル、又は、天然のリン脂質、例えば、セファリン及びレシチン、及び、合成リン脂質などを使用することができる。可能な別の添加剤は、鉱油及び植物油並びに蝋（これらは、場合により、変性されていてもよい）である。
【００３７】
使用する増量剤が水である場合、例えば、有機溶媒を補助溶媒として使用することも可能である。適する液体溶媒は、本質的に、以下のものである：芳香族化合物、例えば、キシレン、トルエン又はアルキルナフタレン類、塩素化芳香族化合物及び塩素化脂肪族炭化水素、例えば、クロロベンゼン類、クロロエチレン類又は塩化メチレン、脂肪族炭化水素、例えば、シクロヘキサン又はパラフィン類、例えば、鉱油留分、鉱油及び植物油、アルコール類、例えば、ブタノール又はグリコールとそれらのエーテル及びエステル、ケトン類、例えば、アセトン、メチルエチルケトン、メチルイソブチルケトン又はシクロヘキサノン、強極性溶媒、例えば、ジメチルホルムアミド及びジメチルスルホキシド、及び、さらに、水。
【００３８】
本発明による組成物には、例えば界面活性剤などの、さらなる付加的な成分も含有させることができる。適切な界面活性剤は、イオン特性若しくは非イオン特性を有する乳化剤、分散剤又は湿潤剤であるか、又は、そのような界面活性剤の混合物である。これらの界面活性剤の例は、以下のものである：ポリアクリル酸の塩、リグノスルホン酸の塩、フェノールスルホン酸若しくはナフタレンスルホン酸の塩、エチレンオキシドと脂肪アルコールの重縮合物若しくはエチレンオキシドと脂肪酸の重縮合物若しくはエチレンオキシドと脂肪アミンの重縮合物、置換されているフェノール（好ましくは、アルキルフェノール又はアリールフェノール）、スルホコハク酸エステルの塩、タウリン誘導体（好ましくは、アルキルタウレート）、ポリエトキシ化アルコールのリン酸エステル若しくはポリエトキシ化フェノールのリン酸エステル、ポリオールの脂肪酸エステル、並びに、硫酸アニオン、スルホン酸アニオン及びリン酸アニオンを含んでいる該化合物の誘導体。該活性化合物のうちの１種類及び／又は該不活性担体のうちの１種類が水不溶性であり且つ施用が水で行われる場合は、界面活性剤を存在させることが必要である。界面活性剤の割合は、本発明による組成物の５重量％〜４０重量％である。
【００３９】
着色剤、例えば、無機顔料、例えば、酸化鉄、酸化チタン、プルシアンブルー（Ｐｒｕｓｓｉａｎ  ｂｌｕｅ）、並びに、有機染料、例えば、アリザリン染料、アゾ染料及び金属フタロシアニン染料、並びに、微量栄養素、例えば、鉄塩、マンガン塩、ホウ素塩、銅塩、コバルト塩、モリブデン塩及び亜鉛塩などを使用することができる。
【００４０】
適切な場合には、付加的な別の成分、例えば、保護コロイド、結合剤、粘着剤、増粘剤、揺変性物質、浸透剤、安定化剤、金属イオン封鎖剤、錯体形成物質なども存在させることができる。一般的に、該活性化合物は、製剤目的で慣習的に使用される固体又は液体の任意の添加剤と組み合わせることが可能である。
【００４１】
一般に、本発明による組成物は、０．０５〜９９重量％、０．０１〜９８％重量％、好ましくは、０．１〜９５重量％、特に好ましくは、０．５〜９０重量％の本発明による活性化合物組合せを含有し、極めて特に好ましくは、１０〜７０重量％の本発明による活性化合物組合せを含有する。
【００４２】
本発明による活性化合物組合せ又は組成物は、そのままで使用することが可能であるか、又は、それらのそれぞれの物理的及び／若しくは化学的特性に応じて、以下のようなそれらの製剤の形態若しくはその製剤から調製される使用形態で使用することが可能である：エーロゾル剤、カプセル懸濁液剤、冷煙霧濃厚剤（ｃｏｌｄ−ｆｏｇｇｉｎｇ  ｃｏｎｃｅｎｔｒａｔｅ）、温煙霧濃厚剤（ｗａｒｍ−ｆｏｇｇｉｎｇ  ｃｏｎｃｅｎｔｒａｔｅ）、カプセル化粒剤、細粒剤、種子処理用フロアブル剤、即時使用可能な溶液剤（ｒｅａｄｙ−ｔｏ−ｕｓｅ  ｓｏｌｕｔｉｏｎ）、散粉性粉末剤、乳剤、水中油型エマルション剤、油中水型エマルション剤、大型粒剤、微粒剤、油分散性粉末剤、油混和性フロアブル剤、油混和性液剤、泡剤（ｆｏａｍ）、ペースト剤、農薬粉衣種子（ｐｅｓｔｉｃｉｄｅ−ｃｏａｔｅｄ  ｓｅｅｄ）、懸濁製剤（ｓｕｓｐｅｎｓｉｏｎ  ｃｏｎｃｅｎｔｒａｔｅ）、サスポエマルション製剤、可溶性濃厚剤（ｓｏｌｕｂｌｅ  ｃｏｎｃｅｎｔｒａｔｅ）、懸濁液剤（ｓｕｓｐｅｎｓｉｏｎ）、水和剤、可溶性粉末剤（ｓｏｌｕｂｌｅ  ｐｏｗｄｅｒ）、粉剤及び粒剤、水溶性顆粒剤又は錠剤、種子処理用水溶性粉末剤、水和剤、活性化合物が含浸されている天然生成物及び合成物質、並びに、さらに、ポリマー物質中にマイクロカプセル化されているもの及び種子用のコーティング物質中にマイクロカプセル化されているもの、並びに、さらに、ＵＬＶ冷煙霧製剤（ＵＬＶ  ｃｏｌｄ−ｆｏｇｇｉｎｇ  ｆｏｒｍｕｌａｔｉｏｎ）及びＵＬＶ温煙霧製剤（ＵＬＶ  ｗａｒｍ−ｆｏｇｇｉｎｇ  ｆｏｒｍｕｌａｔｉｏｎ）。
【００４３】
上記製剤は、自体公知の方法で、例えば、当該活性化合物又は活性化合物組合せを少なくとも１種類の添加剤と混合させることによって、調製することができる。適切な添加剤は、慣習的な全ての製剤助剤、例えば、有機溶媒、増量剤（ｅｘｔｅｎｄｅｒ）、溶媒又は希釈剤、固体担体及び増量剤（ｆｉｌｌｅｒ）、界面活性剤（例えば、アジュバント、乳化剤、分散剤、保護コロイド、湿潤剤、及び、粘着性付与剤）、分散剤及び／又は結合剤又は固着剤、防腐剤、染料及び顔料、消泡剤、無機増粘剤及び有機増粘剤、撥水剤、適切な場合には、乾燥剤及び紫外線安定剤、ジベレリン類、及び、さらに、水、及び、さらなる加工助剤などである。いずれの場合にも調製しようとする製剤の型に応じて、例えば、湿式粉砕、乾式粉砕又は造粒などの、さらなる加工段階が必要なこともあり得る。
【００４４】
本発明による組成物には、適切な装置を用いて植物又は種子に対して施用することが可能な即時使用可能（ｒｅａｄｙ−ｔｏ−ｕｓｅ）組成物のみではなく、使用前に水で希釈することが必要な商業的な濃厚物も包含される。
【００４５】
本発明による活性化合物組合せは、（商業用）製剤中に、及び、そのような製剤から調製された使用形態中に、殺虫剤、誘引剤、不妊剤、殺細菌剤、殺ダニ剤、殺線虫剤、殺菌剤、成長調節剤、除草剤、肥料、薬害軽減剤及び情報化学物質などの別の（既知）活性化合物との混合物として、存在し得る。
【００４６】
上記活性化合物又は組成物を用いた植物及び植物の部分の本発明による処理は、慣習的な処理方法を用いて、例えば、浸漬、散布、噴霧、灌漑、気化、散粉、煙霧、ばらまき、泡状化、塗布、拡散（ｓｐｒｅａｄｉｎｇ−ｏｎ）、灌水（灌注（ｄｒｅｎｃｈｉｎｇ））、点滴潅漑などによって、直接的に行うか、又は、該活性化合物又は組成物を植物及び植物の部分の周囲、生息環境若しくは貯蔵空間に作用させることにより行い、また、繁殖器官（ｐｒｏｐａｇａｔｉｏｎ  ｍａｔｅｒｉａｌ）の場合、特に種子の場合は、さらに、乾燥種子処理用粉末として、種子処理用溶液として、スラリー処理用水溶性粉末として行うか、また、被覆することによって、１以上の層でコーティングすることなどによっても行う。さらに、該活性化合物を微量散布法（ｕｌｔｒａ−ｌｏｗ  ｖｏｌｕｍｅ  ｍｅｔｈｏｄ）によって施用することも可能であり、又は、該活性化合物調製物若しくは活性化合物自体を土壌中に注入することも可能である。
【００４７】
本発明は、さらに、種子を処理する方法も包含する。本発明は、さらに、前の段落において記述されている方法のうちの１つによって処理された種子にも関する。
【００４８】
本発明による活性化合物又は組成物は、特に、種子を処理するのに適している。有害な生物に起因する作物植物に対する被害の大部分は、貯蔵中、又は、播種後、さらに、植物が発芽している最中及び発芽の後に、種子が感染することによって引き起こされる。この相は特に危険である。それは、成長している植物の根及び苗条は特に感受性が高く、少量の損傷であってもその植物が死に至り得るからである。従って、適切な組成物を用いて種子及び発芽中の植物を保護することに、大きな関心が持たれている。
【００４９】
植物の種子を処理することによる植物病原性菌類の防除は、長い間知られており、継続的に改良が加えられている。しかしながら、種子の処理には、必ずしも満足のいくように解決することができるわけではない一連の問題が伴っている。かくして、播種後若しくは植物の出芽後に作物保護剤を追加で施用することを不要とするか又は追加の施用を少なくとも著しく低減させるような、種子及び発芽中の植物を保護する方法を開発することは望ましい。さらに、使用する活性化合物によって植物自体に損傷を与えることなく、植物病原性菌類による攻撃から種子及び発芽中の植物が最大限に保護されるように、使用する活性化合物の量を最適化することも望ましい。特に、種子を処理する方法では、最少量の作物保護剤を使用して種子及び発芽中の植物の最適な保護を達成するために、トランスジェニック植物の内因性の殺菌特性も考慮に入れるべきである。
【００５０】
従って、本発明は、特に、植物の質を向上させるために種子及び発芽中の植物を処理する方法にも関する。
【００５１】
さらにまた、本発明による方法が、特に、トランスジェニック種子（ここで、その種子から成長する植物は、害虫に対して作用するタンパク質を発現することができる）に対しても使用可能であるということも、有利な点として見なされる。そのような種子を本発明の活性化合物組合せ又は組成物で処理することで、例えば殺虫性タンパク質の発現によってさえ、特定の害虫は防除可能である。驚くべきことに、本発明において、さらなる相乗効果が観察される場合がある。そのような相乗効果は、処理された植物の質を付加的に向上させる。
【００５２】
本発明による組成物は、農業において、温室内で、森林で又は園芸若しくはブドウ栽培において使用される全ての植物品種の種子を処理するのに適している。特に、これは、禾穀類（例えば、コムギ、オオムギ、ライムギ、ライコムギ、アワ、エンバク）、トウモロコシ、ワタ、ダイズ、イネ、ジャガイモ、ヒマワリ、インゲンマメ、コーヒー、ビート（例えば、テンサイ、及び、飼料用ビート）、ラッカセイ、ナタネ、ケシ、オリーブ、ココナッツ、カカオ、サトウキビ、タバコ、野菜（例えば、トマト、キュウリ、タマネギ、及び、レタス）、芝生及び観賞植物の種子である（下記も参照されたい）。禾穀類（例えば、コムギ、オオムギ、ライムギ、ライコムギ、及び、エンバク）、トウモロコシ及びイネの種子を処理することは、特に重要である。
【００５３】
以下でもさらに記載されているように、本発明の活性化合物組合せ又は組成物によるトランスジェニック種子の処理は、特に重要である。これは、殺虫特性を有するポリペプチド又はタンパク質の発現を可能にする少なくとも１種類の異種遺伝子を含んでいる植物の種子である。トランスジェニック種子内の異種遺伝子は、例えば、バシルス（Ｂａｃｉｌｌｕｓ）種、リゾビウム（Ｒｈｉｚｏｂｉｕｍ）種、シュードモナス（Ｐｓｅｕｄｏｍｏｎａｓ）種、セラチア（Ｓｅｒｒａｔｉａ）種、トリコデルマ（Ｔｒｉｃｈｏｄｅｒｍａ）種、クラビバクテル（Ｃｌａｖｉｂａｃｔｅｒ）種、グロムス（Ｇｌｏｍｕｓ）種又はグリオクラジウム（Ｇｌｉｏｃｌａｄｉｕｍ）種の微生物に由来し得る。好ましくは、この異種遺伝子は、その遺伝子産物がアワノメイガ（Ｅｕｒｏｐｅａｎ  ｃｏｒｎ  ｂｏｒｅｒ）及び／又はウェスタンコーンルートワーム（Ｗｅｓｔｅｒｎ  ｃｏｒｎ  ｒｏｏｔｗｏｒｍ）に対して活性を示すバシルス属各種（Ｂａｃｉｌｌｕｓ  ｓｐ．）に由来する。特に好ましくは、該異種遺伝子は、バシルス・ツリンギエンシス（Ｂａｃｉｌｌｕｓ  ｔｈｕｒｉｎｇｉｅｎｓｉｓ）に由来する。
【００５４】
本発明に関連して、本発明による活性化合物組合せ又は組成物は、種子に対して、単独で施用するか、又は、適切な製剤中に含ませて施用する。好ましくは、種子は、処理によって損傷が引き起こされないように充分に安定な状態で処理する。一般に、種子は、収穫と播種の間の任意の時点で処理することができる。通常、使用される種子は、植物から分離されていて、穂軸、殻、葉柄、外皮、被毛又は果肉を伴っていない。かくして、例えば、収穫され、不純物が取り除かれ、含水量が１５重量％未満となるまで乾燥された種子を使用することができる。あるいは、乾燥後に例えば水で処理され、その後再度乾燥された種子を使用することもできる。
【００５５】
種子を処理する場合、種子の発芽が悪影響を受けないように、又は、種子から生じた植物が損傷を受けないように、種子に施用する本発明組成物の量及び／又はさらなる添加剤の量を選択することに関して、一般に注意しなくてはならない。このことは、特に、特定の施用量で薬害作用を示し得る活性化合物の場合には、留意しなくてはならない。
【００５６】
本発明による組成物は、直接的に施用することが、即ち、さらに別の成分を含ませることなく、また、希釈することなく、施用することが可能である。一般に、該組成物は、適切な製剤の形態で種子に施用するのが好ましい。種子を処理するための適切な製剤及び方法は、当業者には知られており、例えば、以下の文献に記載されている：ＵＳ  ４，２７２，４１７、ＵＳ  ４，２４５，４３２、ＵＳ  ４，８０８，４３０、ＵＳ  ５，８７６，７３９、ＵＳ  ２００３／０１７６４２８Ａ１、ＷＯ  ２００２／０８０６７５、ＷＯ  ２００２／０２８１８６。
【００５７】
本発明に従って使用することが可能な活性化合物組合せは、慣習的な種子粉衣製剤、例えば、溶液剤、エマルション剤、懸濁液剤、粉末剤、泡剤、スラリー剤又は種子用の別のコーティング材料、及び、さらに、ＵＬＶ製剤などに変換することができる。
【００５８】
これらの製剤は、既知方法で、該活性化合物又は活性化合物組合せを、慣習的な添加剤、例えば、慣習的な増量剤、及び、さらに、溶媒又は希釈剤、着色剤、湿潤剤、分散剤、乳化剤、消泡剤、防腐剤、第２の増粘剤、粘着剤、ジベレリン類などと混合させ、及び、さらに、水と混合させることによって、調製する。
【００５９】
本発明に従って使用することが可能な種子粉衣製剤中に存在させることができる適切な着色剤には、そのような目的に関して慣習的な全ての着色剤が包含される。水中での溶解性が乏しい顔料及び水中で溶解する染料のいずれも使用することができる。挙げることができる例としては、「Ｒｈｏｄａｍｉｎ  Ｂ」、「Ｃ．Ｉ．Ｐｉｇｍｅｎｔ  Ｒｅｄ  １１２」、及び、「Ｃ．Ｉ．Ｓｏｌｖｅｎｔ  Ｒｅｄ  １」の名称で知られている着色剤などがある。
【００６０】
本発明に従って使用することが可能な種子粉衣製剤中に存在させることができる適切な湿潤剤には、農薬活性物質の製剤において慣習的な、湿潤を促進する全ての物質が包含される。好ましくは、アルキルナフタレンスルホネート類、例えば、ジイソプロピルナフタレンスルホネート又はジイソブチルナフタレンスルホネートなどを使用することができる。
【００６１】
本発明に従って使用することが可能な種子粉衣製剤中に存在させることができる適切な分散剤及び／又は乳化剤には、農薬活性物質の製剤において慣習的な非イオン性、アニオン性及びカチオン性の全ての分散剤が包含される。好ましくは、非イオン性若しくはアニオン性の分散剤又は非イオン性若しくはアニオン性の分散剤の混合物を使用することができる。特に適切な非イオン性分散剤は、エチレンオキシド−プロピレンオキシドブロックコポリマー類、アルキルフェノールポリグリコールエーテル類及びトリスチリルフェノールポリグリコールエーテル類、並びに、それらのリン酸化誘導体又は硫酸化誘導体である。特に適切なアニオン性分散剤は、リグノスルホネート類、ポリアクリル酸塩類及びアリールスルホネート−ホルムアルデヒド縮合物である。
【００６２】
本発明に従って使用される種子粉衣製剤中に存在させることができる消泡剤には、農薬活性化合物の製剤において慣習的な全ての泡抑制化合物が包含される。好ましくは、シリコーン消泡剤、ステアリン酸マグネシウム、シリコーンエマルション類、長鎖アルコール類、脂肪酸とそれらの塩、及び、さらに、有機フッ素化合物、並びに、それらの混合物を使用する。
【００６３】
本発明に従って使用される種子粉衣製剤中に存在させることができる防腐剤には、農薬組成物中で当該目的のために使用することが可能な全ての化合物が包含される。例として、ジクロロフェン及びベンジルアルコールヘミホルマールを挙げることができる。
【００６４】
本発明に従って使用される種子粉衣製剤中に存在させることができる第２の増粘剤には、農薬組成物中で当該目的のために使用することが可能な全ての化合物が包含される。セルロース誘導体、アクリル酸誘導体、多糖類、例えば、キサンタンガム又はＶｅｅｇｕｍ、変性クレー、フィロケイ酸塩、例えば、アタパルジャイト及びベントナイト、並びに、さらに、微粉化ケイ酸が好ましい。
【００６５】
本発明に従って使用される種子粉衣製剤中に存在させることができる適切な粘着剤には、種子粉衣中で使用可能な全ての慣習的な結合剤が包含される。ポリビニルピロリドン、ポリ酢酸ビニル、ポリビニルアルコール及びチロースを好ましいものとして挙げることができる。
【００６６】
本発明に従って使用される種子粉衣製剤中に存在させることができる適切なジベレリン類は、好ましくは、ジベレリンＡ１、ジベレリンＡ３（＝ジベレリン酸）、ジベレリンＡ４及びジベレリンＡ７であり；ジベレリン酸を使用するのが特に好ましい。ジベレリン類は知られている（Ｒ．  Ｗｅｇｌｅｒ  “Ｃｈｅｍｉｅ  ｄｅｒ  Ｐｆｌａｎｚｅｎｓｃｈｕｔｚ−  ａｎｄ  Ｓｃｈａｄｌｉｎｇｓｂｅｋａｍｐｆｕｎｇｓｍｉｔｔｅｌ”  ［Ｃｈｅｍｉｓｔｒｙ  ｏｆ  Ｃｒｏｐ  Ｐｒｏｔｅｃｔｉｏｎ  Ａｇｅｎｔｓ  ａｎｄ  Ｐｅｓｔｉｃｉｄｅｓ］，  Ｖｏｌ．２，  Ｓｐｒｉｎｇｅｒ  Ｖｅｒｌａｇ，  １９７０，  ｐｐ．４０１−４１２を参照）。
【００６７】
本発明に従って使用することが可能な種子粉衣製剤は、極めて多くの種類の種子を処理するために、直接的に使用することができるか、又は、予め水で希釈したあとで使用することができる。本発明に従って使用することが可能な種子粉衣製剤又はそれらの希釈された調製物は、トランスジェニック植物の種子を粉衣するために使用することもできる。これに関連して、発現により形成された物質との相互作用において、相乗効果が生じることもあり得る。
【００６８】
本発明に従って使用することが可能な種子粉衣製剤又は水を添加することによってその種子粉衣製剤から調製される調製物を用いて種子を処理するのに適している混合装置には、粉衣するために一般的に使用することができる全ての混合装置が包含される。粉衣するときに採用される具体的な手順は、種子を混合機の中に入れること、所望される特定量の種子粉衣製剤を、そのままで添加するか又は予め水で希釈したあとで添加すること、及び、該製剤が当該種子の表面に均質に分配されるまで混合を実施することを含む。場合により、続いて、乾燥工程を行う。
【００６９】
本発明に従って、全ての植物及び植物の部分を処理することができる。植物は、望ましい及び望ましくない野生植物、栽培品種並びに植物変種（植物変種又は植物育種家の権利によって保護されても又は保護されなくても）のような全ての植物及び植物群を意味する。栽培品種及び植物変種は、慣習的な繁殖方法及び育種方法（これらは、１種類以上の生物工学的方法によって、例えば、倍加半数体、プロトプラスト融合、ランダム突然変異誘発及び定方向突然変異誘発、分子標識若しくは遺伝標識又は生物工学法及び遺伝子工学法などを使用して、補助することができるか又は補うことができる）によって得られる植物であることができる。植物の部分は、植物の地上及び地下の全ての部分及び全ての器官、例えば、枝条、葉、花及び根などを意味し、ここで、例えば、葉、針状葉、茎、枝、花、子実体、果実及び種子、並びに、根、塊茎、球茎及び根茎などを挙げることができる。作物並びに栄養繁殖器官及び生殖繁殖器官（ｖｅｇｅｔａｔｉｖｅ  ａｎｄ  ｇｅｎｅｒａｔｉｖｅ  ｐｒｏｐａｇａｔｉｎｇ  ｍａｔｅｒｉａｌ）、例えば、挿木（ｃｕｔｔｉｎｇ）、球茎、根茎、塊茎、匍匐茎及び種子なども、植物の部分に属する。
【００７０】
本発明の活性化合物は、植物が良好な耐性を示すこと及び温血動物に対する毒性が望ましい程度であること及び環境によって充分に許容されることと相まって、植物及び植物の器官を保護するのに適しており、収穫高を増大させるのに適しており、収穫物の質を向上させるのに適している。それらは、好ましくは、作物保護剤として使用することができる。それらは、通常の感受性種及び抵抗性種に対して有効であり、また、全ての発育段階又は一部の発育段階に対して有効である。
【００７１】
本発明の方法で処理することが可能な植物の中で、以下のものを挙げることができる：主要農作物、例えば、トウモロコシ、ダイズ、ワタ、アブラナ属油料種子（Ｂｒａｓｓｉｃａ  ｏｉｌｓｅｅｄｓ）、例えば、セイヨウアブラナ（Ｂｒａｓｓｉｃａ  ｎａｐｕｓ）（例えば、カノラ）、カブ（Ｂｒａｓｓｉｃａ  ｒａｐａ）、カラシナ（Ｂ．ｊｕｎｃｅａ）（例えば、マスタード）及びアビシニアガラシ（Ｂｒａｓｓｉｃａ  ｃａｒｉｎａｔａ）、イネ、コムギ、テンサイ、サトウキビ、エンバク、ライムギ、オオムギ、アワ、ライコムギ、アマ、ブドウの木、並びに、種々の植物学的分類群に属するさまざまな果実及び野菜、例えば、バラ科各種（Ｒｏｓａｃｅａｅ  ｓｐ．）（例えば、仁果（ｐｉｐ  ｆｒｕｉｔ）、例えば、リンゴ及びナシ、さらに、核果、例えば、アンズ、サクラ、アーモンド及びモモ、液果（ｂｅｒｒｙ  ｆｒｕｉｔｓ）、例えば、イチゴ）、リベシオイダエ科各種（Ｒｉｂｅｓｉｏｉｄａｅ  ｓｐ．）、クルミ科各種（Ｊｕｇｌａｎｄａｃｅａｅ  ｓｐ．）、カバノキ科各種（Ｂｅｔｕｌａｃｅａｅ  ｓｐ．）、ウルシ科各種（Ａｎａｃａｒｄｉａｃｅａｅ  ｓｐ．）、ブナ科各種（Ｆａｇａｃｅａｅ  ｓｐ．）、クワ科各種（Ｍｏｒａｃｅａｅ  ｓｐ．）、モクセイ科各種（Ｏｌｅａｃｅａｅ  ｓｐ．）、マタタビ科各種（Ａｃｔｉｎｉｄａｃｅａｅ  ｓｐ．）、クスノキ科各種（Ｌａｕｒａｃｅａｅ  ｓｐ．）、バショウ科各種（Ｍｕｓａｃｅａｅ  ｓｐ．）（例えば、バナナの木及びバナナ園（ｂａｎａｎａ  ｔｒｅｅｓ  ａｎｄ  ｐｌａｎｔｉｎｇｓ））、アカネ科各種（Ｒｕｂｉａｃｅａｅ  ｓｐ．）（例えば、コーヒー）、ツバキ科各種（Ｔｈｅａｃｅａｅ  ｓｐ．）、アオギリ科各種（Ｓｔｅｒｃｕｌｉｃｅａｅ  ｓｐ．）、ミカン科各種（Ｒｕｔａｃｅａｅ  ｓｐ．）（例えば、レモン、オレンジ及びグレープフルーツ）；ナス科各種（Ｓｏｌａｎａｃｅａｅ  ｓｐ．）（例えば、トマト、ジャガイモ、トウガラシ、ナス）、ユリ科各種（Ｌｉｌｉａｃｅａｅ  ｓｐ．）、キク科各種（Ｃｏｍｐｏｓｉｔｉａｅ  ｓｐ．）（例えば、レタス、チョウセンアザミ及びチコリー（これは、ルートチコリー（ｒｏｏｔ  ｃｈｉｃｏｒｙ）、エンダイブ又はキクニガナを包含する））、セリ科各種（Ｕｍｂｅｌｌｉｆｅｒａｅ  ｓｐ．）（例えば、ニンジン、パセリ、セロリ及びセルリアック）、ウリ科各種（Ｃｕｃｕｒｂｉｔａｃｅａｅ  ｓｐ．）（例えば、キュウリ（これは、ピックルキュウリ（ｐｉｃｋｌｉｎｇ  ｃｕｃｕｍｂｅｒ）を包含する）、カボチャ、スイカ、ヒョウタン及びメロン）、ネギ科各種（Ａｌｌｉａｃｅａｅ  ｓｐ．）（例えば、タマネギ及びリーキ）、アブラナ科各種（Ｃｒｕｃｉｆｅｒａｅ  ｓｐ．）（例えば、白キャベツ、赤キャベツ、ブロッコリー、カリフラワー、芽キャベツ、タイサイ、コールラビ、ラディッシュ、セイヨウワサビ、コショウソウ、ハクサイ）、マメ科各種（Ｌｅｇｕｍｉｎｏｓａｅ  ｓｐ．）（例えば、ラッカセイ、エンドウ及びインゲンマメ（例えば、クライミングビーン（ｃｌｉｍｂｉｎｇ  ｂｅａｎｓ）及びソラマメ））、アカザ科各種（Ｃｈｅｎｏｐｏｄｉａｃｅａｅ  ｓｐ．）（例えば、フダンソウ（ｍａｎｇｏｌｄ）、フダンソウ（ｓｐｉｎａｃｈ  ｂｅｅｔ）、ホウレンソウ、ビートルート）、アオイ科（Ｍａｌｖａｃｅａｅ）（例えば、オクラ）、クサスギカズラ科（Ａｓｐａｒａｇａｃｅａｅ）（例えば、アスパラガス）；園芸作物及び森林作物（ｆｏｒｅｓｔ  ｃｒｏｐｓ）；観賞植物；及び、これら作物の遺伝子組み換えが行われた相同物。イネ、トウモロコシ、ジャガイモ、禾穀類及びブドウの処理が、特に重要である。
【００７２】
上記で既に述べたように、本発明によって、全ての植物及びそれらの部分を処理することができる。好ましい実施形態では、野生の植物種及び植物品種、又は、交雑若しくはプロトプラスト融合のような慣習的な生物学的育種法により得られた植物種及び植物品種、並びに、それらの部分を処理する。好ましいさらなる実施形態では、適切な場合には慣習的な方法と組み合わせた遺伝子工学的方法により得られたトランスジェニック植物及び植物品種（遺伝子組換え生物）並びにそれらの部分を処理する。用語「部分（ｐａｒｔｓ）」、「植物の部分（ｐａｒｔｓ  ｏｆ  ｐｌａｎｔｓ）」及び「植物の部分（ｐｌａｎｔ  ｐａｒｔｓ）」については、既に上記で説明した。特に好ましくは、いずれの場合も市販されているか又は使用されている植物品種の植物を、本発明によって処理する。植物品種は、慣習的な育種又は突然変異誘発又は組換えＤＮＡ技術によって得られた、新しい特性（「形質」）を有する植物を意味するものと理解されるべきである。これらは、品種、生物型又は遺伝子型であることができる。
【００７３】
本発明による処理方法は、遺伝子組換え生物（ＧＭＯ）、例えば、植物又は種子などの処理において使用することができる。遺伝子組換え植物（又は、トランスジェニック植物）は、異種遺伝子がゲノムに安定的に組み込まれている植物である。表現「異種遺伝子」は、本質的に、供給されたか又は当該植物の外部で構築された遺伝子であって、核のゲノム、葉緑体のゲノム又はミトコンドリアのゲノムの中に導入されたときに、興味深いタンパク質若しくはポリペプチドを発現することにより、又は、その植物内に存在している別の１つ若しくは複数の遺伝子をダウンレギュレート若しくはサイレンシングすることにより、当該形質転換された植物に新しい又は改善された作物学的特性又は別の特性を付与する遺伝子を意味する〔例えば、アンチセンス技術、コサプレッション技術又はＲＮＡ干渉（ＲＮＡｉ）技術などを使用する〕。ゲノム内に位置している異種遺伝子は、導入遺伝子とも称される。植物ゲノム内におけるその特異的な位置によって定義される導入遺伝子は、形質転換又は遺伝子導入イベントと称される。
【００７４】
植物種又は植物品種、それらの生育場所及び生育条件（土壌、気候、生育期、養分（ｄｉｅｔ））に応じて、本発明の処理により、相加効果を超える効果（「相乗効果」）も生じ得る。かくして、例えば、本発明により使用し得る活性化合物及び組成物の施用量の低減及び／又は活性スペクトルの拡大及び／又は活性の増強、植物の生育の向上、高温又は低温に対する耐性の向上、渇水又は水中若しくは土壌中に含まれる塩分に対する耐性の向上、開花能力の向上、収穫の容易性の向上、促進された成熟、収穫量の増加、果実の大きさの増大、植物の高さの増大、葉の緑色の向上、より早い開花、収穫された生産物の品質の向上及び／又は栄養価の増加、果実内の糖度の上昇、収穫された生産物の貯蔵安定性の向上及び／又は加工性の向上などが可能であり、これらは、実際に予期された効果を超えるものである。
【００７５】
特定の施用量において、本発明による活性化合物組合せは、植物において強化効果（ｓｔｒｅｎｇｔｈｅｎｉｎｇ  ｅｆｆｅｃｔ）も示し得る。従って、本発明の活性化合物組合せは、望ましくない微生物類による攻撃に対して植物の防御システムを動員させるのにも適している。これは、適切な場合には、本発明による組合せの例えば菌類に対する強化された活性の理由のうちの１つであり得る。本発明に関連して、植物を強化する（抵抗性を誘導する）物質は、処理された植物が、その後で望ましくない微生物類を接種されたときに、それらの微生物類に対して実質的な程度の抵抗性を示すように、植物の防御システムを刺激することができる物質又は物質の組合せを意味するものと理解される。この場合、望ましくない微生物類は、植物病原性の菌類、細菌類及びウイルス類を意味するものと理解される。従って、処理後特定の期間、上記病原体による攻撃から植物を保護するために、本発明の物質を用いることができる。保護が達成される期間は、植物が該活性化合物で処理されてから、一般に、１〜１０日間、好ましくは、１〜７日間である。
【００７６】
本発明に従って処理するのが好ましい植物及び植物品種は、特に有利で有益な形質を植物に付与する遺伝物質を有している全ての植物（育種によって得られたものであろうと、及び／又は、生物工学的方法によって得られたものであろうと）を包含する。
【００７７】
本発明に従って処理するのが同様に好ましい植物及び植物品種は、１以上の生物的ストレスに対して抵抗性を示す。即ち、そのような植物は、害虫及び有害微生物に対して、例えば、線虫類、昆虫類、ダニ類、植物病原性の菌類、細菌類、ウイルス類及び／又はウイロイド類などに対して、良好な防御を示す。
【００７８】
線虫抵抗性植物の例は、例えば、米国特許出願第１１／７６５，４９１号、米国特許出願第１１／７６５，４９４号、米国特許出願第１０／９２６，８１９号、米国特許出願第１０／７８２，０２０号、米国特許出願第１２／０３２，４７９号、米国特許出願第１０／７８３，４１７号、米国特許出願第１０／７８２，０９６号、米国特許出願第１１／６５７，９６４号、米国特許出願第１２／１９２，９０４号、米国特許出願第１１／３９６，８０８号、米国特許出願第１２／１６６，２５３号、米国特許出願第１２／１６６，２３９号、米国特許出願第１２／１６６，１２４号、米国特許出願第１２／１６６，２０９号、米国特許出願第１１／７６２，８８６号、米国特許出願第１２／３６４，３３５号、米国特許出願第１１／７６３，９４７号、米国特許出願第１２／２５２，４５３号、米国特許出願第１２／２０９，３５４号、米国特許出願第１２／４９１，３９６号及び米国特許出願第１２／４９７，２２１号などに記載されている。
【００７９】
本発明に従って処理し得る植物は、雑種強勢（これは、結果として、一般に、増加した収量、向上した活力、向上した健康状態並びに生物的及び非生物的ストレスに対する向上した抵抗性をもたらす）の特性を既に呈しているハイブリッド植物である。そのような植物は、典型的には、雄性不稔交配母体近交系（ｉｎｂｒｅｄ  ｍａｌｅ−ｓｔｅｒｉｌｅ  ｐａｒｅｎｔ  ｌｉｎｅ）（雌性親）を別の雄性稔性交配母体近交系（ｉｎｂｒｅｄ  ｍａｌｅ−ｆｅｒｔｉｌｅ  ｐａｒｅｎｔ  ｌｉｎｅ）（雄性親）と交雑させることによって作られる。ハイブリッド種子は、典型的には、雄性不稔植物から収穫され、そして、栽培者に販売される。雄性不稔植物は、場合により（例えば、トウモロコシにおいて）、雄穂を除去することによって〔即ち、雄性繁殖器官（又は雄花）を機械的に除去することによって〕、作ることができる。しかしながら、より典型的には、雄性不稔性は、植物ゲノム内の遺伝的決定基の結果である。その場合、及び、特に種子がハイブリッド植物から収穫される所望の生産物である場合、典型的には、該ハイブリッド植物において雄性稔性を確実に完全に回復させることは有用である。これは、雄性不稔性に関与する遺伝的決定基を含んでいるハイブリッド植物において雄性稔性を回復させることが可能な適切な稔性回復遺伝子を雄性親が有していることを確実なものとすることによって達成することができる。雄性不稔性に関する遺伝的決定基は、細胞質内に存在し得る。細胞質雄性不稔（ＣＭＳ）の例は、例えば、アブラナ属各種（Ｂｒａｓｓｉｃａ  ｓｐｅｃｉｅｓ）に関して記述された。しかしながら、雄性不稔性に関する遺伝的決定基は、核ゲノム内にも存在し得る。雄性不稔性植物は、遺伝子工学などの植物バイオテクノロジー法によっても得ることができる。雄性不稔性植物を得る特に有用な方法は、ＷＯ  ８９／１０３９６に記載されており、ここでは、例えば、バルナーゼなどのリボヌクレアーゼを雄ずい内のタペータム細胞において選択的に発現させる。次いで、タペータム細胞内においてバルスターなどのリボヌクレアーゼインヒビターを発現させることによって、稔性を回復させることができる。
【００８０】
本発明に従って処理し得る植物又は植物品種（遺伝子工学などの植物バイオテクノロジー法によって得られたもの）は、除草剤耐性植物、即ち、１種類以上の所与の除草剤に対して耐性にされた植物である。そのような植物は、遺伝的形質転換によって得ることができるか、又は、当該除草剤耐性を付与する突然変異を含んでいる植物を選抜することによって得ることができる。
【００８１】
除草剤抵抗性植物は、例えば、グリホセート耐性植物、即ち、除草剤グリホセート又はその塩に対して耐性にされた植物である。植物は、種々の方法によって、グリホセートに対して耐性にすることができる。例えば、グリホセート耐性植物は、酵素５−エノールピルビルシキミ酸−３−リン酸シンターゼ（ＥＰＳＰＳ）をコードする遺伝子で植物を形質転換させることによって得ることができる。そのようなＥＰＳＰＳ遺伝子の例は、以下のものである：細菌サルモネラ・チフィムリウム（Ｓａｌｍｏｎｅｌｌａ  ｔｙｐｈｉｍｕｒｉｕｍ）のＡｒｏＡ遺伝子（突然変異ＣＴ７）（Ｃｏｍａｉ  ｅｔ  ａｌ．，  １９８３，  Ｓｃｉｅｎｃｅ  ２２１，  ３７０−３７１）、細菌アグロバクテリウム属各種（Ａｇｒｏｂａｃｔｅｒｉｕｍ  ｓｐ．）のＣＰ４遺伝子（Ｂａｒｒｙ  ｅｔ  ａｌ．，  １９９２，  Ｃｕｒｒ．  Ｔｏｐｉｃｓ  Ｐｌａｎｔ  Ｐｈｙｓｉｏｌ．  ７，  １３９−１４５）、ペチュニアのＥＰＳＰＳをコードする遺伝子（Ｓｈａｈ  ｅｔ  ａｌ．，  １９８６，  Ｓｃｉｅｎｃｅ  ２３３，  ４７８−４８１）、トマトのＥＰＳＰＳをコードする遺伝子（Ｇａｓｓｅｒ  ｅｔ  ａｌ．，  １９８８，  Ｊ．  Ｂｉｏｌ．  Ｃｈｅｍ．  ２６３，  ４２８０−４２８９）又はオヒシバ属（Ｅｌｅｕｓｉｎｅ）のＥＰＳＰＳをコードする遺伝子（ＷＯ  ０１／６６７０４）。それは、、突然変異ＥＰＳＰＳであることも可能である。グリホセート耐性植物は、さらにまた、グリホセートオキシドレダクターゼ酵素をコードする遺伝子を発現させることによって得ることもできる。グリホセート耐性植物は、さらにまた、グリホセートアセチルトランスフェラーゼ酵素をコードする遺伝子を発現させることによって得ることもできる。グリホセート耐性植物は、さらにまた、上記遺伝子の自然発生突然変異を含んでいる植物を選抜することによって得ることもできる。グリホセート耐性を付与するＥＰＳＰＳ遺伝子を発現する植物は、記載されている。グリホセート耐性を付与する別の遺伝子（例えば、デカルボキシラーゼ遺伝子）を含んでいる植物は、記載されている。
【００８２】
別の除草剤抵抗性植物は、例えば、酵素グルタミンシンターゼを阻害する除草剤（例えば、ビアラホス、ホスフィノトリシン又はグルホシネート）に対して耐性にされている植物である。そのような植物は、当該除草剤を解毒する酵素を発現させるか、又は、阻害に対して抵抗性を示す突然変異グルタミンシンターゼ酵素を発現させることによって、得ることができる。そのような有効な一解毒酵素は、ホスフィノトリシンアセチルトランスフェラーゼをコードする酵素である（例えば、ストレプトマイセス属各種（Ｓｔｒｅｐｔｏｍｙｃｅｓ  ｓｐｅｃｉｅｓ）に由来するｂａｒタンパク質又はｐａｔタンパク質）。外因性のホスフィノトリシンアセチルトランスフェラーゼを発現する植物は、記述されている。
【００８３】
さらなる除草剤耐性植物は、さらにまた、酵素ヒドロキシフェニルピルビン酸ジオキシゲナーゼ（ＨＰＰＤ）を阻害する除草剤に対して耐性にされている植物である。ＨＰＰＤは、パラ−ヒドロキシフェニルピルベート（ＨＰＰ）がホモゲンチセートに変換される反応を触媒する酵素である。ＨＰＰＤ阻害薬に対して耐性を示す植物は、ＷＯ  ９６／３８５６７、ＷＯ  ９９／２４５８５、ＷＯ  ９９／２４５８６、ＷＯ  ２００９／１４４０７９、ＷＯ  ２００２／０４６３８７又はＵＳ  ６，７６８，０４４に記述されているように、自然発生抵抗性ＨＰＰＤ酵素をコードする遺伝子を用いて、又は、突然変異ＨＰＰＤ酵素若しくはキメラＨＰＰＤ酵素をコードする遺伝子を用いて、形質転換させることができる。ＨＰＰＤ阻害薬に対する耐性は、さらにまた、ＨＰＰＤ阻害薬による天然ＨＰＰＤ酵素の阻害にもかかわらずホモゲンチセートを形成させることが可能な特定の酵素をコードする遺伝子を用いて植物を形質転換させることによっても得ることができる。そのような植物及び遺伝子は、ＷＯ  ９９／３４００８及びＷＯ  ０２／３６７８７に記述されている。ＨＰＰＤ阻害薬に対する植物の耐性は、さらにまた、ＷＯ  ２００４／０２４９２８に記述されているように、ＨＰＰＤ耐性酵素をコードする遺伝子に加えてプレフェナートデスヒドロゲナーゼ（ＰＤＨ）活性を有する酵素をコードする遺伝子を用いて植物を形質転換させることによって改善することもできる。さらに、植物は、ＷＯ  ２００７／１０３５６７及びＷＯ  ２００８／１５０４７３に記載されているように、そのゲノムの中にＨＰＰＤ阻害薬を代謝又は分解することが可能な酵素（例えば、ＣＹＰ４５０酵素）をコードする遺伝子を加えることによって、ＨＰＰＤ阻害薬除草剤に対してさらに耐性にすることができる。
【００８４】
さらに別の除草剤抵抗性植物は、アセトラクテートシンターゼ（ＡＬＳ）阻害薬に対して耐性にされている植物である。既知ＡＬＳ阻害薬としては、例えば、スルホニル尿素系除草剤、イミダゾリノン系除草剤、トリアゾロピリミジン系除草剤、ピリミジニルオキシ（チオ）ベンゾエート系除草剤、及び／又は、スルホニルアミノカルボニルトリアゾリノン系除草剤などがある。ＡＬＳ酵素（「アセトヒドロキシ酸シンターゼ（ＡＨＡＳ）」としても知られている）における種々の突然変異体は、例えば「Ｔｒａｎｅｌ  ａｎｄ  Ｗｒｉｇｈｔ（２００２，  Ｗｅｅｄ  Ｓｃｉｅｎｃｅ  ５０：７００−７１２）」などに記述されているように、種々の除草剤及び除草剤の群に対する耐性を付与することが知られている。スルホニル尿素耐性植物及びイミダゾリノン耐性植物の作製については、記述されている。別のイミダゾリノン耐性植物についても、記述されている。さらなるスルホニル尿素耐性植物及びイミダゾリノン耐性植物についても、記述されている。
【００８５】
イミダゾリノン及び／又はスルホニル尿素に対して耐性を示す別の植物は、例えば、ダイズに関しては米国特許第５，０８４，０８２号に記述されているように、イネに関してはＷＯ  ９７／４１２１８に記述されているように、テンサイに関しては米国特許第５，７７３，７０２号及びＷＯ  ９９／０５７９６５に記述されているように、レタスに関しては米国特許第５，１９８，５９９号に記述されているように、又は、ヒマワリに関してはＷＯ  ０１／０６５９２２に記述されているように、誘導された突然変異誘発、当該除草剤の存在下での細胞培養における選抜又は突然変異育種によって得ることができる。
【００８６】
本発明に従って同様に処理し得る植物又は植物品種（遺伝子工学などの植物バイオテクノロジー法によって得られたもの）は、昆虫抵抗性トランスジェニック植物、即ち、特定の標的昆虫による攻撃に対して抵抗性にされた植物である。そのような植物は、遺伝的形質転換によって得ることができるか、又は、そのような昆虫抵抗性を付与する突然変異を含んでいる植物を選抜することによって得ることができる。
【００８７】
本明細書中で使用されている場合、「昆虫抵抗性トランスジェニック植物」には、以下のものをコードするコード配列を含んでいる少なくとも１の導入遺伝子を含んでいる任意の植物が包含される：
（１）  バシルス・ツリンギエンシス（Ｂａｃｉｌｌｕｓ  ｔｈｕｒｉｎｇｉｅｎｓｉｓ）に由来する殺虫性結晶タンパク質又はその殺虫活性を示す一部分、例えば、クリックモアら「Ｃｒｉｃｋｍｏｒｅ  ｅｔ  ａｌ．  （１９９８，  Ｍｉｃｒｏｂｉｏｌｏｇｙ  ａｎｄ  Ｍｏｌｅｃｕｌａｒ  Ｂｉｏｌｏｇｙ  Ｒｅｖｉｅｗｓ，  ６２：８０７−８１３）」によって記載され、クリックモアら「Ｃｒｉｃｋｍｏｒｅ  ｅｔ  ａｌ．  （２００５）」によって、「バシルス・ツリンギエンシス（Ｂａｃｉｌｌｕｓ  ｔｈｕｒｉｎｇｉｅｎｓｉｓ）毒素命名法」において更新された殺虫性結晶タンパク質又はその殺虫活性を示す一部分、例えば、Ｃｒｙタンパク質類（Ｃｒｙ１Ａｂ、Ｃｒｙ１Ａｃ、Ｃｒｙ１Ｂ、Ｃｒｙ１Ｃ、Ｃｒｙ１Ｄ、Ｃｒｙ１Ｆ、Ｃｒｙ２Ａｂ、Ｃｒｙ３Ａａ、又は、Ｃｒｙ３Ｂｂ）のタンパク質若しくはその殺虫活性を示す一部分（例えば、ＥＰ  １９９９１４１、及び、ＷＯ  ２００７／１０７３０２）、又は、例えば米国特許出願第１２／２４９，０１６に記載されている合成遺伝子によってコードされているタンパク質；又は、
（２）  バシルス・ツリンギエンシス（Ｂａｃｉｌｌｕｓ  ｔｈｕｒｉｎｇｉｅｎｓｉｓ）に由来する第２の別の結晶タンパク質又はその一部分の存在下において殺虫活性を示す、バシルス・ツリンギエンシス（Ｂａｃｉｌｌｕｓ  ｔｈｕｒｉｎｇｉｅｎｓｉｓ）に由来する結晶タンパク質又はその一部分、例えば、Ｃｒｙ３４結晶タンパク質とＣｒｙ３５結晶タンパク質で構成されているバイナリートキシン（Ｍｏｅｌｌｅｎｂｅｃｋ  ｅｔ  ａｌ．  ２００１，  Ｎａｔ．  Ｂｉｏｔｅｃｈｎｏｌ．  １９：６６８−７２；  Ｓｃｈｎｅｐｆ  ｅｔ  ａｌ．  ２００６，  Ａｐｐｌｉｅｄ  Ｅｎｖｉｒｏｎｍ．  Ｍｉｃｒｏｂｉｏｌ．  ７１，  １７６５−１７７４）、又は、Ｃｒｙ１Ａ若しくはＣｒｙ１Ｆタンパク質とＣｒｙ２Ａａ若しくはＣｒｙ２Ａｂ若しくはＣｒｙ２Ａｅタンパク質で構成されているバイナリートキシン（米国特許出願第１２／２１４，０２２号、及び、ＥＰ  ０８０１０７９１．５）；又は、
（３）  バシルス・ツリンギエンシス（Ｂａｃｉｌｌｕｓ  ｔｈｕｒｉｎｇｉｅｎｓｉｓ）に由来する種々の殺虫性結晶タンパク質の一部分を含んでいる殺虫性ハイブリッドタンパク質、例えば、上記（１）のタンパク質のハイブリッド、又は、上記（２）のタンパク質のハイブリッド、例えば、トウモロコシイベントＭＯＮ８９０３４で産生されるＣｒｙ１Ａ．１０５タンパク質（ＷＯ  ２００７／０２７７７７）；又は、
（４）  上記（１）〜（３）のいずれか１つのタンパク質において、標的昆虫種に対するさらに強い殺虫活性を得るために、及び／又は、影響を受ける標的昆虫種の範囲を拡大するために、及び／又は、クローニング若しくは形質転換に際してコード化ＤＮＡ中に導入された変化に起因して、幾つかのアミノ酸（特に、１〜１０のアミノ酸）が別のアミノ酸で置き換えられていているもの、例えば、トウモロコシイベントＭＯＮ８６３若しくはＭＯＮ８８０１７におけるＣｒｙ３Ｂｂ１タンパク質又はトウモロコシイベントＭＩＲ６０４におけるＣｒｙ３Ａタンパク質；又は、
（５）  バシルス・ツリンギエンシス（Ｂａｃｉｌｌｕｓ  ｔｈｕｒｉｎｇｉｅｎｓｉｓ）又はバシルス・セレウス（Ｂａｃｉｌｌｕｓ  ｃｅｒｅｕｓ）に由来する殺虫性分泌タンパク質又はその殺虫活性を示す一部分、例えば、既知データベースにおいて挙げられている栄養生長期殺虫性タンパク質（ｖｅｇｅｔａｔｉｖｅ  ｉｎｓｅｃｔｉｃｉｄａｌ  ｐｒｏｔｅｉｎ）（ＶＩＰ）、ＶＩＰ３Ａａタンパク質類のタンパク質；又は、
（６）  バシルス・ツリンギエンシス（Ｂａｃｉｌｌｕｓ  ｔｈｕｒｉｎｇｉｅｎｓｉｓ）又はバシルス・セレウス（Ｂａｃｉｌｌｕｓ  ｃｅｒｅｕｓ）に由来する第２の分泌タンパク質の存在下において殺虫活性を示す、バシルス・ツリンギエンシス（Ｂａｃｉｌｌｕｓ  ｔｈｕｒｉｎｇｉｅｎｓｉｓ）又はバシルス・セレウス（Ｂａｃｉｌｌｕｓ  ｃｅｒｅｕｓ）に由来する分泌タンパク質、例えば、ＶＩＰ１Ａタンパク質とＶＩＰ２Ａタンパク質で構成されているバイナリートキシン（ＷＯ  ９４／２１７９５）；又は、
（７）  バシルス・ツリンギエンシス（Ｂａｃｉｌｌｕｓ  ｔｈｕｒｉｎｇｉｅｎｓｉｓ）又はバシルス・セレウス（Ｂａｃｉｌｌｕｓ  ｃｅｒｅｕｓ）に由来する種々の分泌タンパク質の一部分を含んでいる殺虫性ハイブリッドタンパク質、例えば、上記（１）のタンパク質のハイブリッド、又は、上記（２）のタンパク質のハイブリッド；又は、
（８）  上記（５）〜（７）のいずれか１つのタンパク質において、標的昆虫種に対するさらに強い殺虫活性を得るために、及び／又は、影響を受ける標的昆虫種の範囲を拡大するために、及び／又は、クローニング若しくは形質転換に際してコード化ＤＮＡ中に導入された変化（それでも、まだ、殺虫性タンパク質をコードしている）に起因して、幾つかのアミノ酸（特に、１〜１０のアミノ酸）が別のアミノ酸で置き換えられていているもの、例えば、ワタイベントＣＯＴ１０２におけるＶＩＰ３Ａａタンパク質；又は、
（９）  バシルス・ツリンギエンシス（Ｂａｃｉｌｌｕｓ  ｔｈｕｒｉｎｇｉｅｎｓｉｓ）に由来する結晶タンパク質の存在下において殺虫活性を示す、バシルス・ツリンギエンシス（Ｂａｃｉｌｌｕｓ  ｔｈｕｒｉｎｇｉｅｎｓｉｓ）又はバシルス・セレウス（Ｂａｃｉｌｌｕｓ  ｃｅｒｅｕｓ）に由来する分泌タンパク質、例えば、ＶＩＰ３とＣｒｙ１Ａ若しくはＣｒｙ１Ｆで構成されているバイナリートキシン（米国特許出願第６１／１２６０８３号、及び、米国特許出願第６１／１９５０１９号）、又は、ＶＩＰ３タンパク質とＣｒｙ２Ａａタンパク質若しくはＣｒｙ２Ａｂタンパク質若しくはＣｒｙ２Ａｅタンパク質で構成されているバイナリートキシン（米国特許出願第１２／２１４，０２２号、及び、ＥＰ  ０８０１０７９１．５）；
（１０）  上記（９）のタンパク質において、標的昆虫種に対するさらに強い殺虫活性を得るために、及び／又は、影響を受ける標的昆虫種の範囲を拡大するために、及び／又は、クローニング若しくは形質転換に際してコード化ＤＮＡ中に導入された変化（それでも、まだ、殺虫性タンパク質をコードしている）に起因して、幾つかのアミノ酸（特に、１〜１０のアミノ酸）が別のアミノ酸で置き換えられていているもの。
【００８８】
もちろん、「昆虫抵抗性トランスジェニック植物」は、本明細書中で使用されている場合、上記クラス（１）〜（１０）のいずれか１つのタンパク質をコードする遺伝子の組合せを含んでいる任意の植物も包含する。一実施形態では、異なった標的昆虫種に対して異なったタンパク質を使用した場合に影響を受ける標的昆虫種の範囲を拡大するために、又は、同一の標的昆虫種に対して殺虫活性を示すが作用機序は異なっている（例えば、当該昆虫体内の異なった受容体結合部位に結合する）異なったタンパク質を用いることによって当該植物に対する昆虫の抵抗性の発達を遅延させるために、昆虫抵抗性植物は、上記クラス（１）〜（１０）のいずれか１つのタンパク質をコードする２つ以上の導入遺伝子を含んでいる。
【００８９】
「昆虫抵抗性トランスジェニック植物」は、本明細書中で使用されている場合、さらに、植物の害虫に摂取されたときにその害虫の成長を阻害する二本鎖ＲＮＡを発現時に産生する配列を含んでいる少なくとも１の導入遺伝子を含んでいる任意の植物も包含する。
【００９０】
本発明に従って同様に処理し得る植物又は植物品種（遺伝子工学などの植物バイオテクノロジー法によって得られたもの）は、非生物的ストレスに対して耐性を示す。そのような植物は、遺伝的形質転換によって得ることができるか、又は、そのようなストレス抵抗性を付与する突然変異を含んでいる植物を選抜することによって得ることができる。特に有用なストレス耐性植物としては、以下のものなどがある：
（１）  植物細胞内又は植物内におけるポリ（ＡＤＰ−リボース）ポリメラーゼ（ＰＡＲＰ）遺伝子の発現及び／又は活性を低減させることが可能な導入遺伝子を含んでいる植物；
（２）  植物又は植物細胞のＰＡＲＧコード化遺伝子の発現及び／又は活性を低減させることが可能なストレス耐性を強化する導入遺伝子を含んでいる植物；
（３）  ニコチンアミダーゼ、ニコチン酸ホスホリボシルトランスフェラーゼ、ニコチン酸モノヌクレオチドアデニルトランスフェラーゼ、ニコチンアミドアデニンジヌクレオチドシンテターゼ又はニコチンアミドホスホリボシルトランスフェラーゼを包含するニコチンアミドアデニンジヌクレオチドサルベージ合成経路の植物機能性酵素（ｐｌａｎｔ−ｆｕｎｃｔｉｏｎａｌ  ｅｎｚｙｍｅ）をコードするストレス耐性を強化する導入遺伝子を含んでいる植物。
【００９１】
本発明に従って同様に処理し得る植物又は植物品種（遺伝子工学などの植物バイオテクノロジー法によって得られたもの）は、収穫された生産物の改変された量、品質及び／若しくは貯蔵安定性、並びに／又は、収穫された生産物の特定の成分の改変された特性を示す。例えば：
（１）  野生型の植物細胞又は植物において合成された澱粉と比較して、その物理化学的特性〔特に、アミロース含有量若しくはアミロース／アミロペクチン比、枝分かれ度、平均鎖長、側鎖分布、粘性挙動、ゲル化強度（ｇｅｌｌｉｎｇ  ｓｔｒｅｎｇｔｈ）、澱粉粒径及び／又は澱粉粒子形態〕が変えられていて、特定の用途により適した変性澱粉を合成するトランスジェニック植物；
（２）  非澱粉炭水化物ポリマーを合成するか又は遺伝子組換えがなされていない野生型植物と比較して改変された特性を有する非澱粉炭水化物ポリマーを合成するトランスジェニック植物。その例は、ポリフルクトース（特に、イヌリン型及びレバン型のポリフルクトース）を産生する植物、α−１，４−グルカン類を産生する植物、α−１，６−分枝  α−１，４−グルカン類を産生する植物、及び、アルテルナンを産生する植物である；
（３）  ヒアルロナンを産生するトランスジェニック植物；
（４）  トランスジェニック植物又はハイブリッド植物、例えば、「可溶性固形物高含有量」、「低辛味」（ＬＰ）及び／又は「長期保存」（ＬＳ）などの特性を有するタマネギ。
【００９２】
本発明に従って同様に処理し得る植物又は植物品種（遺伝子工学などの植物バイオテクノロジー法によって得ることができるもの）は、改変された繊維特性を有する植物（例えば、ワタ植物）である。そのよう植物は、遺伝的形質転換によって得ることができるか、又は、そのような改変された繊維特性を付与する突然変異を含んでいる植物を選抜することによって得ることができる。そのような植物としては、以下のものなどがある：
（ａ）  改変された形態のセルロースシンターゼ遺伝子を含んでいる植物（例えば、ワタ植物）；
（ｂ）  改変された形態のｒｓｗ２相同核酸又はｒｓｗ３相同核酸を含んでいる植物（例えば、ワタ植物）、スクロースリン酸シンターゼの発現が増大している植物（例えば、ワタ植物）；
（ｃ）  スクロースシンターゼの発現が増大している植物（例えば、ワタ植物）；
（ｄ）  繊維細胞に基づいた原形質連絡のゲーティングのタイミングが（例えば、繊維選択的β−１，３−グルカナーゼのダウンレギュレーションを介して）改変されている植物（例えば、ワタ植物）；
（ｅ）  反応性が（例えば、ｎｏｄＣを包含するＮ−アセチルグルコサミントランスフェラーゼ遺伝子の発現及びキチンシンターゼ遺伝子の発現を介して）改変されている繊維を有する植物（例えば、ワタ植物）。
【００９３】
本発明に従って同様に処理し得る植物又は植物品種（遺伝子工学などの植物バイオテクノロジー法によって得ることができるもの）は、改変されたオイルプロフィール特性を有する植物（例えば、ナタネ植物又は関連するアブラナ属植物）である。そのよう植物は、遺伝的形質転換によって得ることができるか、又は、そのような改変されたオイル特性を付与する突然変異を含んでいる植物を選抜することによって得ることができる。そのような植物としては、以下のものなどがある：
（ａ）  オレイン酸含有量が高いオイルを産生する植物（例えば、ナタネ植物）；
（ｂ）  リノレン酸含有量が低いオイルを産生する植物（例えば、ナタネ植物）；
（ｃ）  飽和脂肪酸のレベルが低いオイルを産生する植物（例えば、ナタネ植物）。
【００９４】
本発明に従って同様に処理し得る植物又は植物品種（遺伝子工学などの植物バイオテクノロジー法によって得ることができるもの）は、ウイルス抵抗性〔例えば、ジャガイモウイルスＹに対するウイルス抵抗性（イベントＳＹ２３０、及び、イベントＳＹ２３３：製造元「Ｔｅｃｎｏｐｌａｎｔ，  Ａｒｇｅｎｔｉｎａ」）〕を示す植物（例えば、ジャガイモ）、又は、耐病性〔例えば、ジャガイモ疫病に対する耐病性（例えば、ＲＢ遺伝子）〕を示す植物（例えば、ジャガイモ）、又は、低温糖化の低減（Ｎｔ−Ｉｎｈｈ，  ＩＩＲ−ＩＮＶ遺伝子を有している）を示す植物（例えば、ジャガイモ）、又は、矮性表現型（Ｇｅｎｅ  Ａ−２０  オキシダーゼ）を有している植物（例えば、ジャガイモ）である。
【００９５】
本発明に従って同様に処理し得る植物又は植物品種（遺伝子工学などの植物バイオテクノロジー法によって得ることができるもの）は、改変された種子脱粒特性を有する植物（例えば、ナタネ植物又は関連するアブラナ属植物）である。そのよう植物は、遺伝的形質転換によって得ることができるか、又は、そのような改変された種子脱粒特性を付与する突然変異を含んでいる植物を選抜することによって得ることができる。そのような植物としては、種子の脱粒が遅延されているか又は低減されている植物（例えば、ナタネ植物）などがある。
【００９６】
本発明に従って処理し得る特に有用なトランスジェニック植物は、アメリカ合衆国内における規制除外（ｎｏｎ−ｒｅｇｕｌａｔｅｄ  ｓｔａｔｕｓ）についてのアメリカ合衆国農務省（ＵＳＤＡ）の動植物検疫局（ＡＰＨＩＳ）に対する申請の対象である（ここで、そのような申請は、許可されているか又は審理中である）、形質転換イベント又は形質転換イベントの組合せを含んでいる植物である。いつ何時でも、この情報は、ＡＰＨＩＳ（４７００  Ｒｉｖｅｒ  Ｒｏａｄ  Ｒｉｖｅｒｄａｌｅ，  ＭＤ  ２０７３７，ＵＳＡ）から、容易に入手することができる。本出願の出願日においてＡＰＨＩＳが審理中であるか又はＡＰＨＩＳによって許可された規制除外に対する申請は、下記情報を含んでいる申請であった：
−  申請：  当該申請の識別番号。形質転換イベントについての技術的な記述は、ＡＰＨＩＳから（例えば、ＡＰＨＩＳのウェブサイトにおいて、該申請番号を参照することによって）入手可能な個々の申請書類の中に見いだすことができる。それらの記述は、参照によって本明細書中に組み入れる。
【００９７】
−  申請の拡張：  拡張が請求されている、先の申請についての言及。
【００９８】
−  会社：  当該申請を提出している事業体の名称。
【００９９】
−  規制物：  関連する植物種。
【０１００】
−  トランスジェニック表現型：  形質転換イベントによって植物に付与された形質。
【０１０１】
−  形質転換イベント又はライン：  規制除外が請求されている１つ又は複数のイベント（場合により、ラインとも称される）の名称。
【０１０２】
−  ＡＰＨＩＳ文書：  ＡＰＨＩＳに請求することが可能な、申請に関してＡＰＨＩＳによって刊行されている種々の文書。
【０１０３】
本発明に従って処理し得る特に有用なトランスジェニック植物は、１種類以上の毒素をコードする１種類以上の遺伝子を含んでいる植物、例えば、下記商品名で販売されている以下のものである：ＹＩＥＬＤ  ＧＡＲＤ（登録商標）（例えば、トウモロコシ、ワタ、ダイズ）、ＫｎｏｃｋＯｕｔ（登録商標）（例えば、トウモロコシ）、ＢｉｔｅＧａｒｄ（登録商標）（例えば、トウモロコシ）、ＢＴ−Ｘｔｒａ（登録商標）（例えば、トウモロコシ）、ＳｔａｒＬｉｎｋ（登録商標）（例えば、トウモロコシ）、Ｂｏｌｌｇａｒｄ（登録商標）（ワタ）、Ｎｕｃｏｔｎ（登録商標）（ワタ）、Ｎｕｃｏｔｎ  ３３Ｂ（登録商標）（ワタ）、ＮａｔｕｒｅＧａｒｄ（登録商標）（例えば、トウモロコシ）、Ｐｒｏｔｅｃｔａ（登録商標）及びＮｅｗＬｅａｆ（登録商標）（ジャガイモ）。挙げることができる除草剤耐性植物の例は、Ｒｏｕｎｄｕｐ  Ｒｅａｄｙ（登録商標）（グリホセートに対する耐性、例えば、トウモロコシ、ワタ、ダイズ）、Ｌｉｂｅｒｔｙ  Ｌｉｎｋ（登録商標）（ホスフィノトリシンに対する耐性、例えば、ナタネ）、ＩＭＩ（登録商標）（イミダゾリノン系に対する耐性）及びＳＴＳ（登録商標）（スルホニル尿素系に対する耐性、例えば、トウモロコシ）の商品名で販売されているトウモロコシ品種、ワタ品種及びダイズ品種である。挙げることができる除草剤抵抗性植物（除草剤耐性に関して慣習的な方法で品種改良された植物）としては、Ｃｌｅａｒｆｉｅｌｄ（登録商標）（例えば、トウモロコシ）の商品名で販売されている品種などがある。
【０１０４】
単一の形質転換イベント又は形質転換イベントの組合せを含んでいる特に有用なさらなる植物は、例えば、国又は地域のさまざまな規制機関によるデータベースに記載されている。
【０１０５】
本発明による化合物を施用する場合、その施用量は、広い範囲内で変えることができる。本発明による処理方法において通常施用される活性化合物の薬量／施用量は、一般に、及び、有利には、以下のとおりである：
・  植物の部分、例えば、葉を処理する場合（茎葉処理）：  ０．１〜１００００ｇ／ｈａ、好ましくは、１０〜１０００ｇ／ｈａ、さらに好ましくは、５０〜３００ｇ／ｈａ；  灌注施用又は滴下施用の場合、特に、ロックウール又はパーライトなどの不活性底土を用いる場合は、上記薬量はさらに低減させることができる；
・  種子処理の場合：  種子１００ｋｇ当たり２〜２００ｇ、好ましくは、種子１００ｋｇ当たり３〜１５０ｇ、さらに好ましくは、種子１００ｋｇ当たり２．５〜２５ｇ、一層さらに好ましくは、種子１００ｋｇ当たり２．５〜１２．５ｇ；
・  土壌処理の場合：  ０．１〜１００００ｇ／ｈａ、好ましくは、１〜５０００ｇ／ｈａ。
【０１０６】
本明細書中に示されている薬量は、本発明による方法を例証する例として挙げられている。当業者は、特に処理対象の植物又は作物の種類に照らして、当該施用薬量を適合させる方法を知るであろう。
【０１０７】
本発明による組合せは、処理後ある一定の期間、害虫（ｐｅｓｔ）及び／又は植物病原性菌類及び／又は微生物類に対して植物を保護するために用いることができる。保護がもたらされる期間は、植物が該組合せで処理されてから、一般に、１〜２８日間、好ましくは、１〜１４日間、さらに好ましくは、１〜１０日間、一層さらに好ましくは、１〜７日間にわたり、又は、植物の繁殖器官が処理されてから、最大で２００日間にわたる。
【０１０８】
本発明につて、下記実施例によって例証するが、本発明は、それら実施例に限定されない。
【実施例】
【０１０９】
使用実施例
実施例Ａ：ジャガイモ試験
Ｇａｎｓｕの亜鉛欠乏の黒色土（ｐＨ８．３５；利用可能な亜鉛含有量０．３４μｇ／ｇ土壌；有機物質８．８６％）にジャガイモ「品種  Ｓｈｅｐｏｄｙ（夏波蒂）」を植えた：海抜２０５０ｍ、６月〜９月の平均気温１６．４℃〜１９．７℃、降雨量１８ｍｍ〜４３．３ｍｍ、及び、相対湿度３４．５％〜６７．８％。
【０１１０】
１処理当たり４反復。各区画は、１００ｍ２で５００株を有する。対照製品は、市販されている殺菌剤製品「マンゼブ  ８０％ＷＰ」であった。圃場は、病害感染無し。圃場管理は、処理間で同様である：播種  ２０１０年４月２８日、及び、土寄せ  ２０１０年６月２５日；３回の灌漑（毎回５０リットル）  それぞれ、５月６日、６月１９日及び８月１２日；２回の除草  それぞれ、６月９日及び７月２３日。播種前に、（ＮＨ４）Ｈ２ＰＯ３（施用量２１０ｋｇ／ｈａ）、Ｃａ（Ｈ２ＰＯ４）・Ｈ２Ｏ（施用量７５０ｋｇ／ｈａ）及びＣＯ（ＮＨ２）２（施用量１６５ｋｇ／ｈａ）を施肥した。
【０１１１】
ジャガイモ塊茎の栄養素の質の増強に対するプロピネブの効果について、収穫後に評価した。各処理のサンプリングは、栄養素の質に関する試験のための実験室に対して無作為に選択された２〜３個の塊茎であった。
【０１１２】
「Ｃｏｏｍａｓｓｉｅ  ｂｒｉｌｌｉａｎｔ  ｂｌｕｅ  Ｇ−２５０」の方法による可溶性タンパク質含有量の試験：０．５ｇのジャガイモ塊茎組織を水（２ｍＬ）の中で磨り潰し、６ｍＬの水の中で均質化した。そのホモジェネートを４℃で１０分間４０００ｒｐｍで遠心分離し、その上清を可溶性タンパク質のソースとして使用した。次いで、それを、「Ｃｏｏｍａｓｓｉｅ  ｂｒｉｌｌｉａｎｔ  ｂｌｕｅ  Ｇ−２５０」で染色した。その吸光度は、５９５ｎｍで測定した。タンパク質含有量は、μｇ／ｇ生体重量（ＦＷ）で表される。
【０１１３】
澱粉含有量試験方法：２５ｇのジャガイモ塊茎組織をすり潰し、８０℃で乾燥させた。５００ｍｇのサンプルを８０℃で１０分間エタノール（８０％）で抽出し、その上清を除去した。その残渣をＨＣｌ（２％）で処理し、湯浴中で３時間沸騰した状態に維持して全ての澱粉を糖に変えた。次いで、糖含有量を、澱粉含有量に関して試験した。Ｂａ（ＯＨ）２溶液を用いてタンパク質を沈澱させた。フェノールフタレインを指示薬として使用し、上清が薄赤色に変わるまで５％  ＺｎＳＯ４溶液をゆっくりと添加した。澱粉含有量は、μｇ／ｇ生体重量（ＦＷ）で表されている。
【０１１４】
乾物試験方法：新鮮な各サンプルに対して１０００ｇのジャガイモ塊茎を、重量が安定するまでオーブン中で２００℃で乾燥させた。乾物含有量は、重量の割合（％）で表されている。
【０１１５】
亜鉛含有量試験方法：「Ｎａｔｉｏｎａｌ  Ｓｔａｎｄａｒｄ  ｏｆ  Ｐ．  Ｒ．  Ｃｈｉｎａ：  Ｄｅｔｅｒｍｉｎａｔｉｏｎ  ｏｆ  Ｚｉｎｃ  ｉｎ  Ｆｏｏｄｓ」（ＧＢ／Ｔ  ５００９．  １４−２００３，  ＩＣＳ  ６７．０４０  Ｃ  ５３）を参照した。
【表１】
2014507935.tif 000002
【０１１６】
塊茎の収量及び栄養素の質について、収穫後に測定した。
【表２】
2014507935.tif 000003
【０１１７】
Ａｎｔｒａｃｏｌで処理されたジャガイモ塊茎の可溶性タンパク質、澱粉含有量、亜鉛含有量及び乾物は、処理されていない対照及び農業従事者の慣習と比較して、有意な増加を示している。
【０１１８】
実施例Ｂ：イネ試験（圃場試験）
イネ「品種  Ｙａｎｇ  ＩＩ  ｙｏｕ  ６（揚ＩＩ優６号）」を４０ｍ２の区画に播種量２２．５ｋｇ／ｈａで播種した（１処理当たり３反復）。以下の処理を、市販されている「Ａｎｔｒａｃｏｌ  ７０ＷＰ」（プロピネブ  ７００ｇ／ｋｇ）及び亜鉛肥料ＺｎＳＯ４を用いて実施した。
【０１１９】
圃場管理は、慣習に従い、処理間で同様である：前作は、冬ナタネ（ｗｉｎｔｅｒ  ｏｉｌ  ｓｅｅｄ  ｒａｐｅ）であり、イネは２０１０年６月１５日に播種した。播種前に、（ＮＨ４）２ＰＯ３（施用量３００ｋｇ／ｈａ）、ＫＣｌ（施用量１５０ｋｇ／ｈａ）及びＣＯ（ＮＨ２）２（施用量３７５ｋｇ／ｈａ）を施肥した。
【０１２０】
イネ粒の亜鉛含有量に対するプロピネブの効果について、中国において圃場条件下で評価した。各処理のサンプリングは、亜鉛含有量に関する試験のための実験室に対して無作為に選択された５００ｇであった。
【０１２１】
亜鉛含有量試験方法：「Ｎａｔｉｏｎａｌ  Ｓｔａｎｄａｒｄ  ｏｆ  Ｐ．  Ｒ．  Ｃｈｉｎａ：  Ｄｅｔｅｒｍｉｎａｔｉｏｎ  ｏｆ  Ｚｉｎｃ  ｉｎ  Ｆｏｏｄｓ」（ＧＢ／Ｔ  ５００９．  １４−２００３，  ＩＣＳ  ６７．０４０  Ｃ  ５３）を参照した。
【表３】
2014507935.tif 000004
【０１２２】
収穫時の葉及び穀粒の亜鉛含有量を測定した。
【表４】
2014507935.tif 000005
【０１２３】
イネの葉及び穀粒の可溶性亜鉛の含有量は、当該イネ植物が「Ａｎｔｒａｃｏｌ」で処理された場合、処理されていない対照及び農業従事者の慣習と比較して、有意な増加を示している。
【０１２４】
実施例Ｃ：トウモロコシ試験（圃場試験）
トウモロコシ「品種  Ｆｕｙｕ  Ｎｏ．２（富裕２号）」を「Ｔｉａｎｊｉｎ  Ｉｎｓｔｉｔｕｔｅ  ｏｆ  Ｐｌａｎｔ  Ｐｒｏｔｅｃｔｉｏｎ」の試験農場内の８０ｍ２の区画に播種量６０ｋｇ／ｈａで播種した（１処理当たり３反復）。土壌のタイプは、黒色土（ｐＨ７．５、有機物質７．５４％）である。以下の処理を、市販されている「Ａｎｔｒａｃｏｌ  ７０ＷＰ」（プロピネブ  ７００ｇ／ｋｇ）及び亜鉛肥料ＺｎＳＯ４を用いて実施した。
【０１２５】
圃場管理は、慣習に従い、処理間で同様である：前作は冬コムギであり、コムギは、２０１０年６月２２日に播種した；それぞれ、茎伸長期間、出穂期間及びミルキング期間に、３回の灌漑。播種前に、（ＮＨ４）２ＰＯ３（施用量２２５ｋｇ／ｈａ）、ＫＣｌ（施用量１５０ｋｇ／ｈａ）及びＣＯ（ＮＨ２）２（施用量４５０ｋｇ／ｈａ）を施肥した。
【０１２６】
トウモロコシ粒の亜鉛含有量に対するプロピネブの効果について、中国において圃場条件下で評価した。各処理のサンプリングは、亜鉛含有量に関する試験のための実験室に対して無作為に選択された１０００ｇであった。
【０１２７】
亜鉛含有量試験方法：「Ｎａｔｉｏｎａｌ  Ｓｔａｎｄａｒｄ  ｆｏｒ  Ｆｏｏｄ  ｓａｆｅｔｙ  ｏｆ  Ｐ．  Ｒ．  Ｃｈｉｎａ：  Ｄｅｔｅｒｍｉｎａｔｉｏｎ  ｏｆ  Ｚｉｎｃ  ｉｎ  Ｆｏｏｄｓ」（ＧＢ／Ｔ  ５００９．  １４−２００３；  発行元  Ｍｉｎｉｓｔｒｙ  ｏｆ  Ｈｅａｌｔｈ  ｏｆ  Ｐ．  Ｒ．  Ｃｈｉｎａ  ．  ＩＣＳ  ６７．０４０  Ｃ  ５３）を参照した。
【表５】
2014507935.tif 000006
【０１２８】
収穫時の葉及び穀粒の亜鉛含有量を測定した。
【表６】
2014507935.tif 000007
【０１２９】
トウモロコシの葉及び穀粒の可溶性亜鉛の含有量は、当該トウモロコシ植物が「Ａｎｔｒａｃｏｌ」で処理された場合、処理されていない対照及び農業従事者の慣習と比較して、有意な増加を示している。
【０１３０】
実施例Ｄ：イネ試験（圃場試験）
イネ「品種  Ｄａｎｊｉｎｇ  ｊｉａｈｕａ  Ｎｏ．１（単粳嘉花１号）を３０ｍ２の区画に播種量３０ｋｇ／ｈａで播種した（１処理当たり４反復）。以下の処理を、市販されている「Ａｎｔｒａｃｏｌ  ７０ＷＰ」（プロピネブ  ７００ｇ／ｋｇ）を用いて実施した。
【０１３１】
イネ粒の栄養素の質の増強に対するプロピネブの効果について、中国において圃場条件下で評価した。各処理のサンプリングは、栄養素の質に関する試験のための実験室に対して無作為に選択された１０００ｇであった。
【０１３２】
繊維含有量試験方法：  「Ｎａｔｉｏｎａｌ  Ｓｔａｎｄａｒｄ  ｆｏｒ  ｓａｆｅｔｙ  ｏｆ  Ｐ．  Ｒ．  Ｃｈｉｎａ：  Ｄｅｔｅｒｍｉｎａｔｉｏｎ  ｏｆ  Ｆｉｂｒｅ  ｉｎ  Ｆｏｏｄｓ」（ＧＢ／Ｔ  ５５１５．  ５−２００８；  発行元  Ｍｉｎｉｓｔｒｙ  ｏｆ  Ｈｅａｌｔｈ  ｏｆ  Ｐ．  Ｒ．  Ｃｈｉｎａ．  ＩＣＳ  ６７．０４０  Ｃ  ５３）を参照した。
【０１３３】
粗タンパク質含有量試験方法：  「Ｎａｔｉｏｎａｌ  Ｓｔａｎｄａｒｄ  ｆｏｒ  ｓａｆｅｔｙ  ｏｆ  Ｐ．  Ｒ．  Ｃｈｉｎａ：  Ｄｅｔｅｒｍｉｎａｔｉｏｎ  ｏｆ  Ｐｒｏｔｅｉｎ  ｉｎ  Ｆｏｏｄｓ」（ＧＢ／５００９．  ５−２０１０；  発行元  Ｍｉｎｉｓｔｒｙ  ｏｆ  Ｈｅａｌｔｈ  ｏｆ  Ｐ．  Ｒ．  Ｃｈｉｎａ．  ＩＣＳ  ６７．０４０  Ｃ  ５３）を参照した。
【０１３４】
ビタミンＢ１試験方法：  「Ｎａｔｉｏｎａｌ  Ｆｏｏｄ  Ｓｔａｎｄａｒｄ  ｏｆ  Ｐ．  Ｒ．  Ｃｈｉｎａ：  Ｄｅｔｅｒｍｉｎａｔｉｏｎ  ｏｆ  Ｖｉｔａｍｉｎ  Ｂ１  ｆｏｒ  ｉｎｆａｎｔｓ  ａｎｄ  ｙｏｕｎｇ  Ｃｈｉｌｄｒｅｎ，  ｍｉｌｋ  ａｎｄ  ｍｉｌｋ  ｐｒｏｄｕｃｔｓ」（ＧＢ／５４１３．  １１−２０１０；  発行元  Ｍｉｎｉｓｔｒｙ  ｏｆ  Ｈｅａｌｔｈ  ｏｆ  Ｐ．  Ｒ．  Ｃｈｉｎａ．  ＩＣＳ  ６７．０４０  Ｃ  ５３）を参照した。
【０１３５】
ビタミンＢ２試験方法：  「Ｎａｔｉｏｎａｌ  Ｆｏｏｄ  Ｓｔａｎｄａｒｄ  ｏｆ  Ｐ．  Ｒ．  Ｃｈｉｎａ：  Ｄｅｔｅｒｍｉｎａｔｉｏｎ  ｏｆ  Ｖｉｔａｍｉｎ  Ｂ２  ｆｏｒ  ｉｎｆａｎｔｓ  ａｎｄ  ｙｏｕｎｇ  Ｃｈｉｌｄｒｅｎ，  ｍｉｌｋ  ａｎｄ  ｍｉｌｋ  ｐｒｏｄｕｃｔｓ（ＧＢ／５４１３．  １２−２０１０；  発行元  Ｍｉｎｉｓｔｒｙ  ｏｆ  Ｈｅａｌｔｈ  ｏｆ  Ｐ．  Ｒ．  Ｃｈｉｎａ．  ＩＣＳ  ６７．０４０  Ｃ  ５３）を参照した。
【０１３６】
鉄含有量試験方法：  「Ｎａｔｉｏｎａｌ  Ｆｏｏｄ  Ｓｔａｎｄａｒｄ  ｏｆ  Ｐ．  Ｒ．  Ｃｈｉｎａ：  Ｄｅｔｅｒｍｉｎａｔｉｏｎ  ｏｆ  Ｉｒｏｎ，  Ｍａｇｎｅｓｉｕｍ  ａｎｄ  Ｍａｎｇａｎｅｓｅ  ｉｎ  Ｆｏｏｄｓ」（ＧＢ／Ｔ  ５００９．  ９０−２００３；  発行元  Ｍｉｎｉｓｔｒｙ  ｏｆ  Ｈｅａｌｔｈ  ｏｆ  Ｐ．  Ｒ．  Ｃｈｉｎａ．  ＩＣＳ  ６７．０４０  Ｃ  ５３）を参照した。
【表７】
2014507935.tif 000008
【０１３７】
収穫時の栄養素の質を測定した。
【表８】
2014507935.tif 000009
【０１３８】
イネ粒の粗タンパク質、ビタミンＢ１及びビタミンＢ２は、当該イネ植物が「Ａｎｔｒａｃｏｌ」で処理された場合、処理されていない対照及び農業従事者の慣習と比較して、有意な増加を示している。
【０１３９】
実施例Ｅ：トウモロコシ試験（圃場試験）
トウモロコシ「品種  Ｊｉｙｕａｎ  Ｎｏ．１（紀元１号）」を５０ｍ２の区画に播種量４５ｋｇ／ｈａで播種した（１処理当たり４反復）。以下の処理を、市販されている「Ａｎｔｒａｃｏｌ  ７０ＷＰ」（プロピネブ  ７００ｇ／ｋｇ）を用いて実施した。
【０１４０】
トウモロコシ粒の栄養素の質の増強に対するプロピネブの効果について、中国において圃場条件下で評価した。各処理のサンプリングは、栄養素の質に関する試験のための実験室に対して無作為に選択された１０００ｇであった。
【０１４１】
粗タンパク質含有量試験方法：  「Ｎａｔｉｏｎａｌ  Ｓｔａｎｄａｒｄ  ｆｏｒ  ｓａｆｅｔｙ  ｏｆ  Ｐ．  Ｒ．  Ｃｈｉｎａ：  Ｄｅｔｅｒｍｉｎａｔｉｏｎ  ｏｆ  Ｐｒｏｔｅｉｎ  ｉｎ  Ｆｏｏｄｓ」（ＧＢ／５００９．  ５−２０１０；  発行元  Ｍｉｎｉｓｔｒｙ  ｏｆ  Ｈｅａｌｔｈ  ｏｆ  Ｐ．  Ｒ．  Ｃｈｉｎａ．  ＩＣＳ  ６７．０４０  Ｃ  ５３）を参照した。
【０１４２】
ビタミンＥ含有量試験方法：  「Ｎａｔｉｏｎａｌ  ｆｏｒ  Ｆｏｏｄ  Ｓｔａｎｄａｒｄ  ｏｆ  Ｐ．  Ｒ．  Ｃｈｉｎａ：  Ｄｅｔｅｒｍｉｎａｔｉｏｎ  ｏｆ  Ｖｉｔａｍｉｎ  Ａ，  Ｄ，  Ｅ  ｉｎ  Ｆｏｏｄｓ  ｆｏｒ  ｉｎｆａｎｔｓ  ａｎｄ  ｙｏｕｎｇ  Ｃｈｉｌｄｒｅｎ，  ｍｉｌｋ  ａｎｄ  ｍｉｌｋ  ｐｒｏｄｕｃｔｓ」（ＧＢ／Ｔ  ５４１３．  ９−２０１０；  発行元  Ｍｉｎｉｓｔｒｙ  ｏｆ  Ｈｅａｌｔｈ  ｏｆ  Ｐ．  Ｒ．  Ｃｈｉｎａ．  ＩＣＳ  ６７．０４０  Ｃ  ５３）を参照した。
【０１４３】
ビタミンＢ１試験方法：  「Ｎａｔｉｏｎａｌ  Ｆｏｏｄ  Ｓｔａｎｄａｒｄ  ｏｆ  Ｐ．  Ｒ．  Ｃｈｉｎａ：  Ｄｅｔｅｒｍｉｎａｔｉｏｎ  ｏｆ  Ｖｉｔａｍｉｎ  Ｂ１  ｆｏｒ  ｉｎｆａｎｔｓ  ａｎｄ  ｙｏｕｎｇ  Ｃｈｉｌｄｒｅｎ，  ｍｉｌｋ  ａｎｄ  ｍｉｌｋ  ｐｒｏｄｕｃｔｓ」（ＧＢ／５４１３．  １１−２０１０；  発行元  Ｍｉｎｉｓｔｒｙ  ｏｆ  Ｈｅａｌｔｈ  ｏｆ  Ｐ．  Ｒ．  Ｃｈｉｎａ．  ＩＣＳ  ６７．０４０  Ｃ  ５３）を参照した。
【０１４４】
ビタミンＢ２試験方法：  「Ｎａｔｉｏｎａｌ  Ｆｏｏｄ  Ｓｔａｎｄａｒｄ  ｏｆ  Ｐ．  Ｒ．  Ｃｈｉｎａ：  Ｄｅｔｅｒｍｉｎａｔｉｏｎ  ｏｆ  Ｖｉｔａｍｉｎ  Ｂ２  ｆｏｒ  ｉｎｆａｎｔｓ  ａｎｄ  ｙｏｕｎｇ  Ｃｈｉｌｄｒｅｎ，  ｍｉｌｋ  ａｎｄ  ｍｉｌｋ  ｐｒｏｄｕｃｔｓ」（ＧＢ／５４１３．  １２−２０１０；  発行元  Ｍｉｎｉｓｔｒｙ  ｏｆ  Ｈｅａｌｔｈ  ｏｆ  Ｐ．  Ｒ．  Ｃｈｉｎａ．  ＩＣＳ  ６７．０４０  Ｃ  ５３）を参照した。
【０１４５】
鉄含有量試験方法：  「Ｎａｔｉｏｎａｌ  Ｆｏｏｄ  Ｓｔａｎｄａｒｄ  ｏｆ  Ｐ．  Ｒ．  Ｃｈｉｎａ：  Ｄｅｔｅｒｍｉｎａｔｉｏｎ  ｏｆ  Ｉｒｏｎ，  Ｍａｇｎｅｓｉｕｍ  ａｎｄ  Ｍａｎｇａｎｅｓｅ  ｉｎ  Ｆｏｏｄｓ」（ＧＢ／Ｔ  ５００９．  ９０−２００３；  発行元  Ｍｉｎｉｓｔｒｙ  ｏｆ  Ｈｅａｌｔｈ  ｏｆ  Ｐ．  Ｒ．  Ｃｈｉｎａ．  ＩＣＳ  ６７．０４０  Ｃ  ５３）を参照した。
【表９】
2014507935.tif 000010
【０１４６】
収穫時の栄養素の質を測定した。
【表１０】
2014507935.tif 000011
【０１４７】
トウモロコシ粒の粗タンパク質、ビタミンＥ、ビタミンＢ１及びビタミンＢ２は、当該トウモロコシ植物が「Ａｎｔｒａｃｏｌ」で処理された場合、処理されていない対照及び農業従事者の慣習と比較して、有意な増加を示している。
【０１４８】
実施例Ｆ：ブドウ試験（圃場試験）
生産物の質及びブドウ園の植生に対するプロピネブ施用の効果を確認することを目的として、数種類のブドウ品種を、「Ａｎｔｒａｃｏｌ  ７０％ＷＰ」による施用の有無で、モジュールで比較した。
【０１４９】
方法
試験は、種々のブドウ園（Ｖｉｎｈａ  Ｇｒａｎｄｅ  ｄｅ  Ａｌｇｅｒｕｚ［ＶＧＡ］；Ｖｉｎｈａ  ｄａｓ  Ｆａｉａｓ［ＶＦ］；Ｖｉｎｈａ  ｄｏ  Ｄｅｓｅｍｂａｒｇａｄｏｒ［ＶＤ］、及び、Ｑｕｉｎｔａ  ｄｏｓ  Ｃｉｓｔｕｓ［ＱＣ］）（これらは、全て、リスボンの南約４０ｋｍで、Ｐｅｎｉｎｓｕｌａ  ｄｅ  Ｓｅｔｕｂａｌの近くに位置している）において、種々のタイプの土壌（亜鉛含有量１．１〜０．５ｐｐｍの砂質土壌及び粘度−白亜質土壌）で、種々の品種を用いて実施した。ブドウの根茎は、４１Ｂ（ＱＣ）及び残りの場所の１１０３−Ｐａｕｌｓｅｎであった。ブドウ園の年齢は、１年（ＱＣ）〜２０年（ＶＧ）である。
【０１５０】
表１：  ブドウの品種、Ｐｅｎｉｎｓｕｌａ  ｄｅ  Ｓｅｔｕｂａｌの近くのブドウ園、及び、キャラクタリゼーション
【表１１】
2014507935.tif 000012
【０１５１】
施用は、背負噴霧機を用いて実施した。水の量は、３２２〜３５５Ｌ／ｈａであったが、一方、濃度は、固定薬量を維持するように調節した。
【０１５２】
処理区画及び無処理区画は、両方とも、６本の植物からなるブロック２つ（合計で１２本の植物）を含んでいた。
【０１５３】
処理区画では、「Ａｎｔｒａｃｏｌ  ７０％ＷＰ」を２．５ｋｇ／ｈａで４回施用した。施用は、成育段階ＢＢＣＨ７７〜８５の間に、最大「Ｅｘｐｏｓｅｄ  Ｗａｌｌ  Ｓｕｒｆａｃｅ」で実施した。
【表１２】
2014507935.tif 000013
【０１５４】
表２：  ブドウの品種、ブドウ園、及び、特定の成育段階における施用時期
【表１３】
2014507935.tif 000014
2014507935.tif 000015
【０１５５】
亜鉛含有量を評価するために茎葉部を分析するために、１８／０８（８月１８日）に、葉をサンプリングした。
【０１５６】
収穫時、無処理区画及び処理区画のマイクロ醸造（ｍｉｃｒｏｖｉｎｉｆｉｃａｔｉｏｎ）を実施した。その後、そのワインを官能検査に付した。ワインの評価においてはエボリューション（ｅｖｏｌｕｔｉｏｎ）が登録されているが、官能検査は、今でも、ワインの評価において決定的な因子である。ワインの官能特性を決定することを可能とする単独の化学的分析は存在しないので、官能検査は、今でも、代わりがきかない。
【０１５７】
結果
茎葉部分析
表３：  亜鉛含有量（ｍｇ／ｋｇ）
【表１４】
2014507935.tif 000016
【０１５８】
分析は、ＩＮＩＡ（Ｕｎｉｄａｄｅ  ｄｅ  Ｉｎｖｅｓｔｉｇａｃａｏ  ｄｅ  Ａｍｂｉｅｎｔｅ  ｅ  Ｒｅｃｕｒｓｏｓ  Ｎａｔｕｒａｉｓ）（Ｉｎｔｅｒｎａｌ  Ｍｅｔｈｏｄ  −  ＬＡＰ．  ＰＬ１２  ＶＤ（２００９／０９／２０））によって実施した。
【０１５９】
官能検査
官能検査は、２０年を超える経験を有する４人の専門のワインテイスターによって実施した。彼らは、そのワインの根拠について知らなかった。それらのワインを分類し、偶然的な順番で分配した。「Ｐａｉｒ  ｏｆ  Ｓｔｉｍｕｌｕｓ」（Ｃｏｖｅｒ，  １９３６）の差別的な試飲を実施した。その差別的な試飲では、ワインテイスターは、処理区画と無処理区画に向かい合い、そして、自分が好むものの１つを示さなければならなかった。
【表１５】
2014507935.tif 000017
【０１６０】
上記表から、ブドウの品種による結果を観察することができるか、又は、Ｘ２分布を観察することで、本発明者らの分析を「Ａｎｔｒａｃｏｌ」の施用の有無の影響に対してのみ集中させることによる結果を観察することができる。Ｎは試飲の総数に等しく、Ｘ１は「Ａｎｔｒａｃｏｌ」を施用したワインに対する好意的な試飲の数であり、及び、Ｘ２は「Ａｎｔｒａｃｏｌ」を施用していないワインに対する好意的な試飲の数である。
【数１】
2014507935.tif 000018
【０１６１】
本発明者らは、Ｘ２が８．１に等しいと推断した。これは、「Ａｎｔｒａｃｏｌ」を施用した場合のテイスターの好みが有意水準の５％に達したことを意味する。
【国際調査報告】
2014507935.tif 000019
2014507935.tif 000020
2014507935.tif 000021